(57)【特許請求の範囲】
【請求項１】
航空機客室の散気装置（１４）であって、
開いた内部を有する入口部（２０）と、
前記入口部の下流の、開いた内部を有するネック部（３０）と、
開いた内部を有する出口部（４０）であって、前記ネック部の下流にある出口部（４０）と、
前記ネック部の前記開いた内部に設けられた流量コントローラー（５０）と、
を備え、
前記ネック部（３０）は、前記入口部（２０）より下流のネック上流端（３１）と、前記ネック上流端（３０）より下流のネック下流端（３２）とを含み、前記ネック上流端（３１）における前記ネック部（３０）の内部は上流横方向幅（８０）を有し、前記ネック下流端（３２）における前記ネック部（３０）の内部は、前記上流横方向幅（８０）よりも大きい下流横方向幅（８１）を有し、前記流量コントローラー（５０）は、前記ネック上流端（３１）に配置され、前記流量コントローラーは、受動圧コントローラー（７０）であり、該受動圧コントローラーは、前記受動圧コントローラーを横切る気圧差に応じて、前記受動圧コントローラーを通る空気の流れに影響を与えるように構成されている、散気装置（１４）。
【請求項２】
前記受動圧コントローラー（７０）は、前記入口部（２０）内の空気圧が、６０キロパスカル（ｋＰａ）を超える所定の閾値より大きい場合に、前記受動圧コントローラーを通る毎分７００グラム（ｇ／ｍｉｎ）を超える略一定の空気流量を維持するように構成される、請求項１に記載の散気装置（１４）。
【請求項３】
前記受動圧コントローラー（７０）は、前記入口部（２０）内の空気圧によって作動するように構成される、請求項１または２に記載の散気装置（１４）。
【請求項４】
前記受動圧コントローラー（７０）は、前記受動圧コントローラーを通る気流速度によって作動するように構成される、請求項１から３のいずれか一項に記載の散気装置（１４）。
【請求項５】
前記受動圧コントローラー（７０）は、１つ以上の流路（５６）を画定する１つ以上の羽根（５４）を含む、請求項１から４のいずれか一項に記載の散気装置（１４）。
【請求項６】
前記１つ以上の羽根（５４）は、前記入口部（２０）から前記出口部（４０）への気圧差の増大に応じて、前記１つ以上の流路（５６）の開放領域を減少させるように構成される、請求項５に記載の散気装置（１４）。
【請求項７】
前記１つ以上の羽根（５４）は、前記入口部（２０）と前記出口部（４０）との間の気圧差がない場合に、前記１つ以上の流路（５６）を開放状態で維持するように付勢される、請求項５または６に記載の散気装置（１４）。
【請求項８】
前記受動圧コントローラー（７０）は、上流端（５１）と下流端（５２）とを有し、少なくとも１つの羽根（５４）は、前記受動圧コントローラーの上流端から前記受動圧コントローラーの下流端までの、２〜１０ｋＰａの気圧差に応じて弾性的に変形するように構成される、請求項５から７のいずれか一項に記載の散気装置（１４）。
【請求項９】
前記流量コントローラー（５０）は、前記流量コントローラーの上流端（５１）から前記流量コントローラーの下流端（５２）まで、２〜１０ｋＰａの気圧差を生じさせるように構成される、請求項１から８のいずれか一項に記載の散気装置（１４）。
【請求項１０】
前記散気装置は、空気が７００ｇ／ｍｉｎを超える割合で前記入口部（２０）を通って前記出口部（４０）へ流れる場合に、５０デシベル（ｄＢ）未満の会話妨害レベルを生成するように構成される、請求項１から９のいずれか一項に記載の散気装置（１４）。
【請求項１１】
前記入口部（２０）は、略円形の開いた内部輪郭を有し、前記出口部（４０）は、略長円形の開いた内部輪郭を有する、請求項１から１０のいずれか一項に記載の散気装置（１４）。
【請求項１２】
前記流量コントローラー（５０）は渦誘起手段（７２）である、請求項１から１１のいずれか一項に記載の散気装置（１４）。
【請求項１３】
前記渦誘起手段（７２）は、前記ネック部（３０）内に空気の渦を作り出すように構成される、請求項１２に記載の散気装置（１４）。
【請求項１４】
前記渦誘起手段（７２）は、空気が前記渦誘起手段を通過するとき、接線方向の空気の流れを引き起こすように構成される、請求項１２または１３に記載の散気装置（１４）。
【請求項１５】
前記渦誘起手段（７２）は、有効径を有し、前記散気装置は、前記渦誘起手段の下流に空気流路の長さを有し、前記空気流路の長さに対する有効径の割合は、２０％未満である、請求項１２から１４のいずれか一項に記載の散気装置（１４）。
【発明の詳細な説明】
【技術分野】
【０００１】
本開示は、散気システム、方法および装置に関する。
【背景技術】
【０００２】
多くの航空機は、安全で快適な客室環境を提供しながら、例えば１０，０００フィート（ｆｔ）（約３，０００メートル（ｍ））から４１，０００ｆｔ（約１２，５００ｍ）の上方まで、高い高度で飛行するように設計される。この客室環境を維持するために、一般的な航空機は、適切な圧力、温度、湿度調節で、客室内に新鮮な空気を循環させる空調システムを含む。航空機の空調システムは、空調パック、空気処理システムおよび／または空気循環システムと呼ばれることがある。空調システムは、客室からの高度にろ過された空気のほぼ等しい量と混合された外気を循環させることができる。混合された外部空気およびろ過空気は、客室へ導かれ、客室を通って客室出口に分配される。この客室出口は、一般にルーバー、空気分配レール、通気孔および個人用吹出し口（例えば、乗客の座席の上の眼球型ガスパー）である。散気装置は、ダクト内の空気を客室出口内へ導く。
【０００３】
客室内では、散気装置および吹出し口は、一般に客室の側壁に沿って、時には天井に沿って配置される。空気は、多くの場合客室フロアの両側で、略環状に流れ、グリルを通って出るが、天井で再循環する航空機上では、天井グリルを介して出てもよい。民間航空機に対して、ＦＡＡ（連邦航空局）は、最低限の空気流量および客室の与圧を要求している。新しい航空機に対しては、最低限の空気流量は、乗員あたり毎分０．５５パウンド（ｌｂｓ／ｍｉｎ）（乗員あたり毎分約２５０グラム（ｇ／ｍｉｎ））であり、最低限の客室与圧は、０．７５バール（７５キロパスカル（ｋＰａ））である。
【０００４】
客室の空気の流れは連続的で、快適な客室の温度、与圧、および／または全体的な空気の質を維持するために使用される。客室を出る約半分の空気は、客室与圧をも制御する胴体内の１つ以上の流出弁を介して、航空機から排出される。残りの半分の空気は、高効率フィルターを通して吸引され、上述のように、その後に新鮮な外気と再循環される。
【発明の概要】
【発明が解決しようとする課題】
【０００５】
乗客の快適性のために、客室への空気の流れは、静かで、比較的均一かつ一般に控えめでなくてはならない。しかし、これらの必要性に対応する際、設計者は、重量および複雑性と快適性との釣り合いを取らなくてはならない。
【課題を解決するための手段】
【０００６】
本開示の航空機、空調システムおよび散気装置は、航空機客室内に静かで快適な環境をもたらすために使用されてもよい。システムおよび装置は、低い騒音レベルを生成しながら、乗員あたり０．５５ｌｂｓ／ｍｉｎ（乗員あたり約２５０ｇ／ｍｉｎ）のＦＡＡの最低要件で、あるいはこれを越える流量で、空気を流すように構成されてもよい。
【０００７】
本明細書に開示の通り、航空機客室の散気装置は、空気の流れを受け入れる入口部と、空気の流れを航空機客室へ排出する出口部と、空気の流れを入口部から出口部へ導くネック部と、流れおよび／または圧力を受動的に調整し、および／または、散気装置内に渦を作り出して、流れを分配するおよび／または気流音を低減する、流量コントローラーとを備える。入口部、ネック部および出口部は、入口部から出口部へ空気の流れを導くように動作可能に連結される。流量コントローラーは、（受動圧コントローラーを横切る気圧差に応じて、受動圧コントローラーを通る空気の流れに影響を与えるように構成される）受動圧コントローラー、および／または、（渦誘起手段の下流に空気の渦を作り出すように構成される）渦誘起手段であってもよい。
【図面の簡単な説明】
【０００８】
【図１】航空機内部の断面概略図である。
【図２】航空機内部に設置される散気装置の例示的で非限定的な例である。
【図３】散気装置の概略図である。
【図４】横断方向軸に垂直な、散気装置の例示的で非限定的な例の長手方向断面図である。
【図５】横方向軸に垂直な、散気装置の例示的で非限定的な例の長手方向断面図である。
【図６】流量コントローラーの例示的で非限定的な例の詳細図である。
【図７】流量コントローラーの例示的で非限定的な他の例の詳細図である。
【発明を実施するための形態】
【０００９】
本開示は、航空機内の空気を拡散するシステム、方法および装置に関する。図１〜図７は、航空機１０、空調システム１２、散気装置１４および関連部品の様々な図である。一般に、図において、所与の実施形態に含まれる可能性のある要素は実線で示される一方、随意または代替の要素は破線で示される。しかし、実線で示す要素は、本開示の全ての実施形態に必須ではなく、実線で示す要素を、本開示の範囲から逸脱することなく特定の実施形態から省略してもよい。同様の、または少なくとも実質的に同様の目的を提供する要素は、図面間で一貫した番号が付される。各図における類似の番号、および対応する要素は、図の各々を参照して本明細書に詳細に説明しない場合がある。同様に、全ての要素を各図に表示しない場合があるが、関連する参照番号を一貫性のために使用する場合がある。１つ以上の図を参照して説明される要素、構成要素および／または形態を、本発明の範囲から逸脱することなく、図のいずれかに含み、および／または使用してもよい。
【００１０】
図１は、航空機１０内で散気装置１４を使用して航空機客室１６の空気を循環させることができる場所および方法を示す、航空機内部の断面概略図である。空気の流れは、矢印１１で示される。散気装置１４は、通常は空調システム１２の一部であり、航空機１０搭載の空調パックと呼ばれることもある。空調システム１２は、航空機客室１６に流体的に連結された散気装置１４に、空気の流れを提供することで、航空機客室１６内の空気を循環させる。空気は、通常は、側壁に沿った、荷物棚の上および／または航空機客室１６の天井に沿った客室通気孔１５を通り航空機客室１６内へ流れることができる。さらに、空調システム１２は、通常は各シート上の乗客制御ガスパーに空気を提供することができる。
【００１１】
航空機１０は、乗務員を含む１人以上の乗客を輸送するように構成され得る。例えば、民間航空機は、数百人までの乗客を輸送するように構成されることが可能である。複数の散気装置１４、および任意の関連客室通気孔１５は、航空機客室１６に沿って分配されて、全ての乗員に新鮮な比較的均一な流れの空気を提供することができる。
【００１２】
散気装置１４は、航空機１０および／または航空機客室１６の空間的制約内に収まるように構成されてもよい。典型的には、空調システム１２は、多くの場合、民間輸送航空機１０の荷物棚および天井付近にある、航空機１０の胴体の長さに沿って走るダクトを有する。散気装置１４は、胴体に沿ったダクトに接続され、かつ、ダクトを流れる空気の一部の方向を航空機客室１６内へ変えてもよい。この種の空気の流れを空間的制約に収めるために、散気装置１４は、概ね小型および／または湾曲状であってもよい。
【００１３】
散気装置１４は、乗員の快適性および健康を維持する割合で、空気を空調システム１２の一部として提供するように構成される。ＦＡＡ規定は現在、乗員あたり０．５５ｌｂｓ／ｍｉｎ（乗員あたり約２５０ｇ／ｍｉｎ）の最低限の空気流量を要求している。飛行時、与圧室を含む航空機は、通常は、約０．７５〜０．８０ｂａｒ（約７５〜８０ｋＰａ）である約６，０００〜８，０００ｆｔの高度（約１，８００〜２，４００ｍ）に相当する空気圧を維持する。７５ｋＰａおよび約２０〜２５℃の快適な客室温度で、ＦＡＡ規定は、乗員あたり毎分約１０立方フィート（ｆｔ３／ｍｉｎ）の空気流量（乗員あたり毎分約２８０リットル（Ｌ／ｍｉｎ））に対応する。航空機１０および／または空調システム１２は、１つ以上の散気装置１４を組み込んで、必要な空気の流れを処理し、および／または、乗員の間で比較的均等に空気の流れを分配してもよい。各散気装置１４および関連する空気処理部品は、航空機１０に重量および複雑性を加える。したがって、必要な散気装置１４の数を最小にする（それゆえに軽量化して最終的に燃料や維持費を節約する）ように航空機１０を設計することができる。航空機１０は、乗務員および乗客を含む一定数の乗員に対して定格付けされるため、より少数の散気装置１４は、各散気装置１４が処理する空気の体積流量および／または質量流量を増大させ、これにより、少なくとも最低限の流量が達成される。航空機１０は、２名の定格乗員毎、３名の定格乗員毎および／または４名の定格乗員毎に１個未満の散気装置１４を組み込んでもよい。例えば、航空機１０は、定格乗員あたり０．５個未満、０．４個未満、０．３７個未満、０．３３個未満、０．３０個未満、０．２８個未満、０．２６個未満、０．２４個未満、０．２２個未満、０．２個未満、約０．４個、約０．３７個、約０．３３個、約０．３個、約０．２５個および／または約０．２２個の散気装置を含んでもよい。散気装置１４は、およそ必要な量またはそれ以上の量の空気の流れを処理するように構成されてもよい。例えば、散気装置１４は或る量の空気を流すように構成されてもよく、その量は、７００ｇ／ｍｉｎ超、８００ｇ／ｍｉｎ超、９００ｇ／ｍｉｎ超、１，０００ｇ／ｍｉｎ超、１，１００ｇ／ｍｉｎ超、１，２００ｇ／ｍｉｎ超、１，５００ｇ／ｍｉｎ未満、１，２００ｇ／ｍｉｎ未満、８００〜１，２００ｇ／ｍｉｎ、８００Ｌ／ｍｉｎ超、９００Ｌ／ｍｉｎ超、１，０００Ｌ／ｍｉｎ超、１，１００Ｌ／ｍｉｎ超、１，２００Ｌ／ｍｉｎ超、１，３００Ｌ／ｍｉｎ超、１，５００Ｌ／ｍｉｎ未満、１，３００Ｌ／ｍｉｎ未満、および／または９００〜１，３００Ｌ／ｍｉｎである。
【００１４】
散気装置１４は、航空機客室１６内の空気を循環させるために、航空機１０および／または空調システム１２において採用することができる。循環とは、散気装置１４を介して航空機客室１６に空気を供給することを含む。散気装置１４は、ほぼ均一な空気流量、および／または、定格乗員あたり少なくとも２５０ｇ／ｍｉｎの空気流量を、航空機客室１６に供給するように構成されてもよい。さらに、循環は、航空機客室１６の空気圧を、安全で快適な旅行のために十分に維持することを含んでもよい。例えば、空気圧は、６０ｋＰａ超、７０ｋＰａ超、７５ｋＰａ超、８０ｋＰａ超、９０ｋＰａ超、１００ｋＰａ超、１２０ｋＰａ未満、１００ｋＰａ未満、８０ｋＰａ未満、７０〜８０ｋＰａ、７０〜９０ｋＰａ、７０〜１０２ｋＰａ、約９０ｋＰａ、約８０ｋＰａおよび／または約７５ｋＰａであってもよい。別段に明記しない限り、全ての空気圧値は、絶対空気圧値である。
【００１５】
散気装置１４は、少なくとも会話を妨害するいくつかの周波数および／または高い周波数で、実質的に航空機客室１６内の他の周囲騒音以上ではない騒音レベルを生み出すことによって、比較的静かな航空機客室環境を構築するために構成され、および／または使用されてもよい。より高い流量では、従来の空調システムは、航空機客室を騒々しくすることがある。しかし、本開示の散気装置１４は、高い流量であっても、従来の散気装置の、典型的な空間および重量の制約を損なうことなく、静かな空気の流れを提供するように構成されてもよい。航空機客室１６は、特に航空機１０が飛行しているとき、多くの騒音源を有することがある。散気装置１４は、航空機客室１６内の全体的な騒音レベルにほとんど寄与しないように構成されてもよい。使用中の散気装置１４からの騒音レベルは、少なくとも特定の周波数で、２０デシベル（ｄＢ）未満、１０ｄＢ未満、５ｄＢ未満、３ｄＢ未満、２ｄＢ未満、または航空機客室１６内の他の周囲騒音以上１ｄＢ未満であってもよい。比較のために、航空機客室１６などの航空機客室内の一般的な周囲騒音は、４５ｄＢ超、５０ｄＢ超、５５ｄＢ超、６０ｄＢ超、６５ｄＢ超、７０ｄＢ超、７５ｄＢ超、８０ｄＢ超、および／または８５ｄＢ超であってもよい。散気装置１４からの騒音レベルの寄与度は、０．１キロヘルツ（ｋＨｚ）、０．２ｋＨｚ、０．５ｋＨｚ、１ｋＨｚ、２ｋＨｚ、３ｋＨｚ、４ｋＨｚ、５ｋＨｚ、８ｋＨｚ、１０ｋＨｚ、１２ｋＨｚ、１５ｋＨｚ、２０ｋＨｚ、０．１〜１０ｋＨｚ、０．５〜４ｋＨｚ、１〜４ｋＨｚ、２〜４ｋＨｚ、３〜１０ｋＨｚ、５〜１０ｋＨｚ、５ｋＨｚ超、および／または８ｋＨｚ超の周波数を含んでもよい。妨害騒音レベルの別の指標は、会話妨害レベル（ＳＩＬ）である。ＳＩＬは、１ｋＨｚ、２ｋＨｚおよび４ｋＨｚの中心周波数を有する３つの帯域での騒音のレベルの算術平均である。これらの帯域は、音声伝達のために最も重要な周波数を含む。使用中の散気装置１４のＳＩＬは、５５ｄＢ未満、５２ｄＢ未満、５０ｄＢ未満、４８ｄＢ未満、４６ｄＢ未満、または４４ｄＢ未満であってもよい。
【００１６】
図２は、空調システム１２の一部として、２つの散気装置１４の例を示している。図において、この２つの散気装置は、１つ以上の客室通気孔１５を介して、空気を航空機客室に供給するように配置されている。各散気装置１４は、図２に実線で示す専用の通気孔１５を介して空気を供給するように配置されてもよく、あるいは、少なくとも２つの散気装置１４は、随意には、図２に点線で示す（空気レールとも呼ばれる）単一の共有通気孔１５を介して空気を供給するように配置されてもよい。散気装置１４は、一般に、散気装置の上流端１７とも呼ばれる入口を通って入る空気の流れ１１を受け入れて、散気装置を通る空気の流れ１１を送り、散気装置の下流端１８とも呼ばれる比較的広い出口を介して空気の流れ１１を分散するように構成される。空調システム１２が最小閾値の空気（体積、質量および／または圧力）を、各散気装置１４へ供給していることを条件として、散気装置１４は、各々が独立して、実質的に一定の体積流量、質量流量、圧力および／または流速で空気を航空機客室内へ供給するように構成されてもよい。したがって、空調システム１２は、散気装置１４に届けられた空気の体積、質量および／または圧力よりもむしろ、散気装置１４の構成を介した航空機客室内への空気の供給を制御するように構成されてもよい。
【００１７】
散気装置１４は、散気装置の上流端１７に近接した入口部２０と、散気装置の下流端１８に近接した出口部４０と、入口部２０と出口部４０との間に及ぶネック部３０とを備える。これらの部分および散気装置１４全体の各々は、開いた内部またはチャネルを有し、この部分および散気装置１４を介して空気が流れることを可能にする。したがって、この部分および散気装置１４は、中空であり、空隙部を画定し、開放容積を画定し、および／または、多孔性であるとして説明されてもよい。各部分は、隣接する部分に動作可能に連結され（および／または隣接する部分から延伸し）、これにより、空気は、ネック部３０を介して入口部２０へ流入し、出口部４０から流出することができる。これらの部分は、各々が１つ以上の部品から構成されてもよい。２つ以上の部分は、構成部品を共有してもよい。例えば、単一の一体型部品は、入口部２０と、ネック部３０と、出口部４０とを含んでもよい。他の例として、散気装置１４アセンブリについて、入口部は第１の部品であってもよく、ネック部は第２の部品であってもよく、出口部は第３の部品であってもよい。
【００１８】
一般に、各部分は、上流端（空気の流れを受け入れるように構成された端部）と、下流端（空気の流れを放出するように構成された端部）とを有する。入口上流端２１は、空気の流れ１１が散気装置１４に入るように構成された、散気装置の上流端１７に近接している。出口下流端４２は、空気の流れ１１が散気装置１４を出るように構成された、散気装置の下流端１８に近接している。入口下流端２２の入口部２０は、ネック上流端３１においてネック部３０に動作可能に連結される。ネック下流端３２におけるネック部３０は、出口上流端４１において出口部４０に動作可能に連結される。図２に示すように、これらの部分は、各々が独立して、（実線で示す）滑らかで弧状、または、（一点鎖線で示す）角のある箱状であってもよい。追加的または代替的に、これら部分間の遷移は、急激あるいは平滑であってもよい。
【００１９】
散気装置１４はまた、散気装置１４の空気流路内に流量コントローラー５０を備える。流量コントローラー５０は、散気装置の上流端１７および散気装置の下流端１８から離間しており、入口部２０、ネック部３０および出口部４０のうち１つ以上の内部において少なくとも部分的にあってもよい。一般に、流量コントローラー５０は、散気装置の上流端１７に向かって位置しており、概ねネック部３０内、および／または、ネック部３０に近接している。本明細書でさらに説明されるように、流量コントローラー５０は、受動圧コントローラー７０および／または渦誘起手段７２であってもよく、つまり、流量コントローラー５０は、散気装置１４を通る空気の流れの速度および／または方向に影響を与えてもよい。一般に、流量コントローラー５０は、１つ以上の羽根５４を含み、この羽根５４は、流量コントローラーの上流端５１から流量コントローラーの下流端５２へ、流量コントローラー５０を通って流れることを可能にする１つ以上の流路５６を分割する。
【００２０】
散気装置１４は、様々な方法で配向され得る３次元物体である。散気装置１４の形態、構造および構成要素の説明を容易にするために、本開示は、座標フレーム１００によって示される３つの直交方向である、（ｙ方向として示す）長手方向、（ｘ方向として示す）横方向、および（ｚ方向として示す）横断方向を参照する。長手方向は、散気装置１４を通る大量空気の流れの方向をたどって、散気装置の上流端１７から散気装置の下流端１８まで散気装置１４に広がる、散気装置１４の幾何学的中心に沿った方向である。本明細書でさらに説明されるように、散気装置は、一般に湾曲状であり、および／または、湾曲状の大量空気流路を画定し、したがって、長手方向は同様に湾曲状である。横方向は、長手方向に直交し、一般に散気装置１４内の空気流路の最も広い部分を横断する。横方向に沿った散気装置１４の寸法は、横方向の幅と呼ばれる。横断方向は、長手方向および横方向の両方に直交する。横断方向に沿った散気装置１４の寸法は、横断方向の幅と呼ばれる。
【００２１】
図３は、様々な補助部品の一般的な構造、位置および順序を示す、散気装置１４の概略図である。図４〜図５は、散気装置１４の例示的で非限定的な例の垂直断面図である。
【００２２】
図３〜図５を参照して、散気装置１４は、空気流路の長さ１９によって特徴づけられることができ、この長さは、散気装置の上流端１７から散気装置の下流端１８までの大量空気流路の幾何学的中心の長さである。さらに、散気装置１４は、長手方向に垂直に測定される特性寸法、例えば、横方向の幅、横断方向の幅、直径および／または有効径によって特徴づけられることができる。
【００２３】
散気装置１４の入口部２０は、散気装置の上流端１７に近接して位置し、散気装置の上流端１７に位置してもよい。入口部２０は、概ね、分岐流を生成するように構成され、つまり、入口部２０は、実質的に分岐した空気流路を画定する。しかし、入口部２０は、略直進流を生成するように構成されてもよく、つまり、入口部２０は、略直線状の空気流路を画定する。ほぼ分岐した空気流路を作る或る構成では、入口上流端２１は入口下流端２２よりも小さい。具体的には、入口部２０は開放領域を画定してもよく、この領域は、流体が通過することを可能にし、入口下流端２２よりも入口上流端２１においてより小さい、総断領域である。
【００２４】
一般に、入口部２０は、管状で、中空で、および／または開放容積を画定してもよい。入口部２０は、管、略円筒状シェルおよび／または略テーパ状シェルであってもよい。入口上流端２１および／または入口下流端２２の内部輪郭（内部の断面形状）は、略円形および／または略楕円形であってもよい。
【００２５】
入口部２０は、入口上流端２１と入口下流端２２との間の入口中心軸線２８によって特徴づけられる。中心軸は、物体の長手方向の寸法に垂直な各断面の幾何学的重心を横断する線である。中心軸は、一般に長手方向に沿って延伸し、かつ、一般に物体の輪郭をたどる。入口部２０では、入口中心軸線２８は、一般に入口部２０を通る空気の妨害されない流れを表している。入口中心軸線２８は、典型的には、入口上流端２１および入口下流端２２の中心間の略直線状の線である。入口上流端２１と入口下流端２２との間で、かつ、概ね入口中心軸線２８に沿って、入口部２０は細長くてもよい。中心軸線２８の長さは、４ミリメートル（ｍｍ）超、６ｍｍ超、８ｍｍ超、１０ｍｍ超、１２ｍｍ超、１５ｍｍ超、２０ｍｍ超、２５ｍｍ超、３０ｍｍ超、４０ｍｍ超、５０ｍｍ超、６０ｍｍ超、８０ｍｍ超、１００ｍｍ超、１５０ｍｍ未満、１００ｍｍ未満、８０ｍｍ未満、６０ｍｍ未満、５０ｍｍ未満、４〜１００ｍｍおよび／または１０〜８０ｍｍであってもよい。
【００２６】
入口部２０は、いくつかの空気の流れを、散気装置１４の出口部４０から離れた方向に導くように構成されてもよい。このような流れは、ガスパーおよび／または空調システム１２の他の構成部品へ向けられてもよい。流れは、図４に最良に示すように、入口部２０に沿う１つ以上の分岐管２５を含むことによって出口部４０から離れた方向に向かってもよい。
【００２７】
図３〜図５の広範な説明に戻って、散気装置１４のネック部３０は、概ね、入口部２０と出口部４０との間の遷移部分である。ネック部３０は、ネック上流端３１に近接した第１のネック領域３５、ネック下流端３２に近接した第２のネック領域３６、および／または、ネック上流端３１とネック下流端３２との間のネック部遷移領域３７を含んでもよい。第１のネック領域３５および／またはネック上流端３１は、入口下流端２２に連結され、および／または、動作可能に連結されるように構成されてもよい。第２のネック領域３６および／またはネック下流端３２は、出口上流端４１に連結され、および／または、動作可能に連結されるように構成されてもよい。
【００２８】
ネック部３０は、ネック上流端３１とネック下流端３２との間のネック部中心軸線３８によって特徴づけられる。ネック部中心軸線３８は、一般にネック部３０を通る空気の妨害されない流れを表す。一般に、ネック部中心軸線３８は、入口中心軸線２８と連続している。ネック部中心軸線３８は、略直線状の線であってもよく、あるいは、ネック上流端３１およびネック下流端３２の中心間の略湾曲状の線であってもよい。ネック上流端３１とネック下流端３２との間で、かつ、概ねネック部中心軸線３８に沿って、ネック部３０は細長くてもよい。中心軸線３８の長さは、１０ｍｍ超、１２ｍｍ超、１５ｍｍ超、２０ｍｍ超、２５ｍｍ超、３０ｍｍ超、４０ｍｍ超、５０ｍｍ超、６０ｍｍ超、８０ｍｍ超、１００ｍｍ超、１５０ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１５０ｍｍ未満、１００ｍｍ未満、８０ｍｍ未満、６０ｍｍ未満、５０ｍｍ未満、２０〜５００ｍｍおよび／または５０〜３００ｍｍであってもよい。
【００２９】
一般に、ネック部３０は、管状で、中空で、および／または開放容積を画定してもよい。ネック部３０は、管、略円筒状シェルおよび／または略開放箱状であってもよい。例えば、第１のネック領域３５は、管および／または略円筒状シェルであってもよい。別の例としては、第２のネック領域３６は、管および／または略開放箱状であってもよい。ネック上流端３１の内部輪郭は、略円形および／または略楕円形であってもよい。ネック下流端３２の内部輪郭は、略円形、略楕円形、略長円形および／または略長方形であってもよい。一般に、ネック上流端３１の内部輪郭は、ネック下流端３２の内部輪郭とは異なる。輪郭が異なる場合、ネック下流端３２の内部輪郭は、ネック上流端３１の内部輪郭よりも、一方向（例えば横方向）において大きく、かつ、垂直方向（例えば横断方向）において小さくてもよい。ネック上流端３１の開放領域は、ネック下流端３２の開放領域と同じであるか、あるいはこれと異なってもよい（例えば、より小さくてもよい）。内部輪郭が異なる場合であっても、ネック上流端３１の開放領域は、ネック下流端３２の開放領域と同じであってもよい。ネック部遷移領域３７は、存在する場合、不均一な内部輪郭、つまり、ネック部中心軸線３８に沿って変化する内部輪郭を有する。
【００３０】
ネック上流端３１のネック部３０の内部は、横方向の幅、横断方向の幅、直径および／または有効径である特性寸法８０によって特徴づけられる。ネック下流端３２におけるネック部３０の内部は、図４に最良に示すように、ネック上流端３１におけるネック部３０の内部の特性寸法８０よりも大きい横方向の幅８１を有してもよい。特性寸法８０は、２０ｍｍ超、３０ｍｍ超、４０ｍｍ超、５０ｍｍ超、７０ｍｍ超、１００ｍｍ超、１５０ｍｍ超、２００ｍｍ未満、１５０ｍｍ未満、１００ｍｍ未満、７０ｍｍ未満、５０ｍｍ未満、２０〜１５０ｍｍおよび／または５０〜１００ｍｍであってもよい。横方向の幅８１に対する特性寸法８０の割合は、５０％未満、４０％未満、３０％未満、２５％未満、２０％未満、１５％未満、１２％未満、１０％未満、８％未満、８〜５０％、８〜２５％、約２０％、約１５％および／または約１２％であってもよい。ネック下流端３２におけるネック部３０の内部は、図５に最良に示すように、ネック上流端３１におけるネック部３０の内部特性寸法８０とほぼ等しいか、あるいはこれよりも小さい横断方向の幅８２を有してもよい。特性寸法８０に対する横断方向の幅８２の割合は、１２０％未満、１００％未満、８０％未満、６０％未満、５０％未満、４０％未満、３０％未満、２５％未満、２０％未満、２０〜１００％、３０〜５０％、約１００％、約５０％、約３３％および／または約２５％であってもよい。横方向の幅８１は、横断方向の幅８２より大きくてもよい。横方向の幅８１に対する横断方向の幅８２の割合は、５０％未満、４０％未満、３０％未満、２５％未満、２０％未満、１５％未満、１２％未満、１０％未満、８％未満、７％未満、６％未満、５％未満、４％未満、４〜４０％、５〜２５％、１０〜２５％、約２５％、約２０％、約１５％および／または約１２％であってもよい。ネック上流端３１におけるネック部３０の内部の特性寸法８０は、２０ｍｍ超、３０ｍｍ超、４０ｍｍ超、５０ｍｍ超、６０ｍｍ超、８０ｍｍ超、１００ｍｍ超、１００ｍｍ未満、８０ｍｍ未満、６０ｍｍ未満、５０ｍｍ未満、３０〜１００ｍｍおよび／または４０〜６０ｍｍであってもよい。横方向の幅８１は、１００ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１００〜５００ｍｍ、２００〜３００ｍｍおよび／または約２８０ｍｍであってもよい。横方向の幅８１は、ネック部中心軸線３８の長さと実質的に同じであるか、あるいはこれよりも小さい。
【００３１】
図３〜図５の広範な説明に戻って、ネック部３０は、概ね、ネック部中心軸線３８にほぼ従ってネック上流端３１からネック下流端３２まで、滑らかな空気流路を画定する。空気流路は、略直線状または略湾曲状であってもよい。一般に、ネック部３０は、ネック上流端３１に流入する空気を、ネック下流端３２から流出するときに異なる方向へ導くように構成される。空気流路は、空気の流れの中心軸を特徴とすることができる。空気流路が湾曲状である場合、空気の流れの中心軸は、複数の方向における屈曲および／または湾曲を含む複合曲率を有してもよい。例えば、主曲率面は、横方向、例えば、ネック下流端３２のネック部３０の内部の横方向の幅８１に沿う方向に対して略直交してもよい。
【００３２】
内部では、ネック部３０は一般に滑らかな内部輪郭を有する。例えばネック部遷移領域３７に沿って内部輪郭が変化する場合、内部は、著しい乱流および／または望まない乱流を引き起こし得る、わずかな形態を有するか、形態を全く有さなくてもよい。例えば、ネック部３０の内部は、弧状表面、アール状角部、非尖状角部を有してもよく、および／または、本質的に尖状角部を含まなくてもよい。追加的または代替的に、ネック部３０は、著しい乱流を引き起こし得る、角度付き内部輪郭および／または角度付き内側部分を有してもよい。
【００３３】
ネック部３０は、ネック部消音材料３９を含み、散気装置１４を通って流れる空気の流れによって生成される騒音を低減してもよい。ネック部消音材料３９は、特定の周波数で騒音を減衰させ、反射させ、および／または、向きを変更する材料および／または構造を含んでもよい。ネック部消音材料３９は、空気の流れで循環し得る揮発性の物質および／または微粒子を本質的に含まなくてもよい。ネック部消音材料３９は、実質的に耐火性であり、および／または、煙、蒸気および／または微粒子のレジスト形成であってもよい。例えば、ネック部消音材料は、アラミド繊維を含んでもよく、例えば、ＮＯＭＥＸ、ＫＥＶＬＡＲ、ＴＷＡＲＯＮおよびＴＥＣＨＮＯＲＡの商品名で販売されている製品が挙げられる（「Ｎｏｍｅｘ」および「Ｋｅｖｌａｒ」は、デラウェア州ウィルミントンのＥ．  Ｉ．  ｄｕ  Ｐｏｎｔ  ｄｅ  Ｎｅｍｏｕｒｓ  ａｎｄ  Ｃｏｍｐａｎｙの登録商標であり、「Ｔｗａｒｏｎ」は、オランダ国アーネムのＴｅｉｊｉｎ  Ａｒａｍｉｄ  Ｂ．Ｖ．  ＬＬＣの登録商標であり、「Ｔｅｃｈｎｏｒａ」は、日本国大阪府の帝人テクノプロダクツ株式会社の登録商標である）。一般に、ネック部消音材料３９は、ネック部３０の内面に沿って位置し、ネック部３０の内面に直接または間接的に連結されてもよい。ネック部消音材料３９は、材料の連続部分および／または材料の継ぎ当てからなってもよい。ネック部消音材料３９は、全て、実質的に全て、ほとんどおよび／または大部分のネック部３０の内部を覆ってもよい。例えば、ネック部消音材料３９は、ネック部３０の内面領域を覆ってもよく、その割合は、２０％超、４０％超、５０％超、６０％超、７５％超、９０％超、約５０％、約７５％または約１００％である。ネック部３０は、ネック部消音材料３９を完全にまたは選択的に含まなくてもよい。例えば、（図４および図５にそれぞれ最良に示すように）ネック部３０の内部が、一般に横断面８８および側面８７を有する場合、側面８７は、ネック部消音材料３９によって実質的に覆われてもよく、および／または、横断面８８は、ネック部消音材料３９を実質的に含まなくてもよい。
【００３４】
図３〜図５の広範な説明に戻って、散気装置１４の出口部４０は、散気装置の下流端１８に近接して位置し、散気装置の下流端１８に位置してもよい。出口部４０は、一般に、散気装置１４について本明細書で全体的に説明した体積流量および／または質量流量で、広く均一な流れを出口下流端４２に生成するように構成される。
【００３５】
出口部４０は、出口上流端４１と出口下流端４２との間の出口中心軸線４８によって特徴づけられる。出口中心軸線４８は、一般に、出口部４０を通る空気の妨害されない流れを表す。一般に、出口中心軸線４８は、ネック部中心軸線３８と連続している。出口中心軸線４８は、略直線状の線であってもよく、あるいは、出口上流端４１および出口下流端４２の中心間の略湾曲状の線であってもよい。出口上流端４１と出口下流端４２との間で、かつ、概ね出口中心軸線４８に沿って、出口部４０は細長くてもよい。中心軸線４８の長さは、１０ｍｍ超、１２ｍｍ超、１５ｍｍ超、２０ｍｍ超、２５ｍｍ超、３０ｍｍ超、４０ｍｍ超、５０ｍｍ超、６０ｍｍ超、８０ｍｍ超、１００ｍｍ超、１５０ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１５０ｍｍ未満、１００ｍｍ未満、８０ｍｍ未満、６０ｍｍ未満、５０ｍｍ未満、１０〜３００ｍｍおよび／または２０〜１００ｍｍであってもよい。
【００３６】
一般に、出口部４０は、管状で、中空で、および／または開放容積を画定してもよい。出口部４０は、管、一般に開放箱状および／または一般にテーパ箱状であってもよい。出口上流端４１および／または出口下流端４２の内部輪郭は、略円形、略楕円形、略長円形および／または略長方形であってもよい。
【００３７】
出口上流端４１における出口部４０の内部は、非円筒対称であってもよく、（図５に最良に示す）横断方向の幅８４よりも大きい（図４に最良に示す）横方向の幅８３を有してもよい。同様に、出口下流端４２における出口部４０の内部は、非円筒対称であってもよく、（図５に最良に示す）横断方向の幅８６よりも大きい（図４に最良に示す）横方向の幅８５を有してもよい。出口上流端４１の横方向の幅８３に対する出口上流端４１の横断方向の幅８４の割合は、５０％未満、４０％未満、３０％未満、２５％未満、２０％未満、１５％未満、１２％未満、１０％未満、８％未満、７％未満、６％未満、５％未満、４％未満、４〜４０％、５〜２５％、１０〜２５％、約２５％、約２０％、約１５％および／または約１２％であってもよい。出口下流端４２の横方向の幅８５に対する出口下流端４２の横断方向の幅８６の割合は、５０％未満、４０％未満、３０％未満、２５％未満、２０％未満、１５％未満、１２％未満、１０％未満、８％未満、７％未満、６％未満、５％未満、４％未満、４〜４０％、５〜２５％、１０〜２５％、約２５％、約２０％、約１５％および／または約１２％であってもよい。出口上流端４１の横方向の幅８３および／または出口下流端４２の横方向の幅８５は、１００ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１００〜５００ｍｍ、２００〜３００ｍｍおよび／または約２８０ｍｍであってもよい。出口上流端４１の横方向の幅８３は、概ね、出口下流端４２の横方向の幅８５とほぼ同じである。出口上流端４１の横断方向の幅８４および／または出口下流端４２の横断方向の幅８６は、１０ｍｍ超、２０ｍｍ超、３０ｍｍ超、４０ｍｍ超、５０ｍｍ超、７０ｍｍ超、１００ｍｍ超、１５０ｍｍ超、２００ｍｍ未満、１５０ｍｍ未満、１００ｍｍ未満、７０ｍｍ未満、５０ｍｍ未満、４０ｍｍ未満、３０ｍｍ未満、２０ｍｍ未満、１０〜２００ｍｍ、２０〜１００ｍｍ、２０〜７０ｍｍ、約２０ｍｍおよび／または約５０ｍｍであってもよい。出口上流端４１の横断方向の幅８４は、概ね、出口下流端４２の横断方向の幅８６よりも大きく、および／または、これとほぼ等しい。出口中心軸線４８の長さは、出口下流端４２の横方向の幅８５の８０％未満、６０％未満、５０％未満、４０％未満、３０％未満、２５％未満、２０％未満、２０〜８０％、２５〜６０％、約６０％、約５０％および／または約４０％であってもよい。
【００３８】
図３〜図５の広範な説明に戻って、出口部４０は、概ね、出口中心軸線４８にほぼ従って、出口上流端４１から出口下流端４２まで空気流路を画定する。空気流路は、略直線状または略湾曲状であってもよい。一般に、出口部４０は、出口上流端４１に流入する空気を、出口下流端４２から流出するときに異なる方向へ導くように構成されてもよい。空気流路は、空気の流れの中心軸を特徴とすることができる。空気流路が湾曲状である場合、空気の流れの中心軸は、複数の方向における屈曲および／または湾曲を含む複合曲率を有してもよい。例えば、主曲率面は、横方向、例えば、出口上流端４１の出口部４０の内部の横方向の幅８３に沿う方向に対して略直交してもよい。
【００３９】
空気の流れは、出口部４０内で合流してもよい。実質的に合流した空気流路を作る或る構成において、出口上流端４１は出口下流端４２よりも大きい。具体的には、出口部は、出口下流端４２の開放領域よりも大きい出口上流端４１の開放領域を有してもよい。
【００４０】
出口部４０は、出口消音材料４９を含み、散気装置１４を通って流れる空気の流れによって生成される騒音を低減してもよい。出口消音材料４９は、随意のネック部消音材料３９と同じ材料であってもよく、随意のネック部消音材料３９と類似の特徴を有してもよく、および／または、随意のネック部消音材料３９と連続していてもよい。一般に、出口消音材料４９は、出口部４０の内面に沿って位置し、かつ、出口部４０の内面に直接または間接的に連結されてもよい。出口消音材料４９は、材料の連続部分および／または材料部分の継ぎ当てからなってもよい。出口消音材料４９は、全て、実質的に全て、ほとんどおよび／または大部分の出口部４０の内部を覆ってもよい。例えば、出口消音材料４９は、出口部４０の内部を覆ってもよく、その割合は、２０％超、４０％超、５０％超、６０％超、７５％超、９０％超、約５０％、約７５％または約１００％である。出口部４０は、出口消音材料４９を完全にまたは選択的に含まなくてもよい。例えば、（図４および図５にそれぞれ最良に示すように）出口部４０の内部が、一般に横断面９０および側面８９を有する場合、側面８９は、出口消音材料４９によって実質的に覆われてもよく、および／または、横断面９０は、出口消音材料４９を実質的に含まなくてもよい。
【００４１】
図３〜図５の広範な説明に戻って、散気装置１４はまた、流量コントローラー５０を備えてもよく、この流量コントローラー５０は、概ね散気装置１４の内部に位置し、典型的には、入口部２０、ネック部３０および／または入口部２０とネック部３０との境界面の内部に位置する。流量コントローラー５０は、入口下流端２２およびネック上流端３１に近接してもよい。さらに、流量コントローラー５０は、入口部２０および／またはネック部３０に連結され、および／または、動作可能に連結されるように構成されてもよい。
【００４２】
流量コントローラー５０は、気圧差を生じさせるように構成されてもよく、これにより、散気装置１４の内部の、および／または散気装置１４を出る下流の空気圧を調整する。圧力差は、存在する場合、流量コントローラー５０の内部に、および／または流量コントローラー５０によって生成される。したがって、流量コントローラーは、散気装置の上流端１７、入口上流端２１および／または流量コントローラーの上流端５１（一般に高圧力端）から、入口下流端２２、流量コントローラーの下流端５２、ネック下流端３２、出口下流端４２および／または散気装置の下流端１８（一般に低圧力端）まで圧力差を生じさせ、および／または維持するように構成されてもよい。圧力差は、２ｋＰａ超、４ｋＰａ超、６ｋＰａ超、８ｋＰａ超、１０ｋＰａ超、１５ｋＰａ超、２０ｋＰａ超、２０ｋＰａ未満、１５ｋＰａ未満、１０ｋＰａ未満、８ｋＰａ未満、６ｋＰａ未満、４ｋＰａ未満および／または２〜１０ｋＰａの、所定の閾値を超える圧力、圧力範囲および／または差圧であってもよい。
【００４３】
流量コントローラー５０は、流れ抵抗となるように構成されてもよく、これにより、散気装置１４の内部および／または散気装置１４への空気の総流量を調整（例えば、体積流量、質量流量および／または圧力を調整）する。流れ抵抗は、存在する場合、流量コントローラー５０を横切り、上流端５１から下流端５２まで生成される。したがって、流量コントローラー５０は、空気の流れを、散気装置の上流端１７および／または入口上流端２１から、入口下流端２２、ネック下流端３２、出口下流端４２および／または散気装置の下流端１８まで制限するように構成されてもよい。追加的または代替的に、流量コントローラー５０は、散気装置の上流端１７および／または入口上流端２１において背圧をもたらすように構成されてもよい。背圧は、散気装置１４を通る空気の流れを調整および／または制限するために使用されてもよく、および／または、補助空調システム部品、例えば、（空気を例えばガスパーなどの個人用の吹出し口に最終的に向けてもよい）随意の分岐管２５を通る、空気の流れを導くために使用されてもよい。入口部２０が分岐した空気流路を画定する場合、流量コントローラー５０の上流の空気流体積の膨張は、（非膨張と比較して）その領域の空気静圧を増大させることがある。静圧は、補助空調システム部品を通る空気の流れを導くために使用されてもよい。
【００４４】
流量コントローラー５０は、一般に１つ以上の流路５６を画定する１つ以上の羽根５４を含んでもよく、この流路は、流量コントローラー５０を介して空気を送るように構成される。羽根５４は、一般に、流路５６を介して空気を導くように配向される。羽根５４はまた、翼、膜、ダイヤフラム、フラップ、リーフ、リーフレット、フィン、突起部、ノジュール、バッフル、ルーバー、ディスクおよび／またはポペットとして説明してもよい。流量コントローラー５０は、１、２、３、４、５、６、７、８、９、１０、１１、１２、２〜１２、４〜１２、６〜１０、少なくとも５、少なくとも８および／または少なくとも１２枚の羽根５４を含んでもよい。羽根５４は、１、２、３、４、５、６、７、８、９、１０、１１、１２、２〜１２、４〜１２、６〜１０、少なくとも５、少なくとも８および／または少なくとも１２の流路５６を画定してもよい。
【００４５】
一般に、流量コントローラー５０は、散気装置１４内に、典型的には、入口部２０および／またはネック部３０内に収まるように構成され、流量コントローラー５０は、隣接する部分の内部と実質的に同じ形状を有する。流量コントローラー５０は、特性寸法、つまり、横方向の幅、横断方向の幅、直径および／または有効径を有してもよく、その寸法は、３０ｍｍ超、４０ｍｍ超、５０ｍｍ超、６０ｍｍ超、８０ｍｍ超、１００ｍｍ超、１００ｍｍ未満、８０ｍｍ未満、６０ｍｍ未満、５０ｍｍ未満、３０〜１００ｍｍおよび／または４０〜６０ｍｍである。流量コントローラー５０の厚さは、８ｍｍ未満、６ｍｍ未満、４ｍｍ未満、３ｍｍ未満、２ｍｍ未満、１ｍｍ超、２ｍｍ超、３ｍｍ超、４ｍｍ超、１〜８ｍｍおよび／または２〜４ｍｍであってもよい。流量コントローラー５０は、散気装置の上流端１７から離間してもよく、その距離は、４ｍｍ超、６ｍｍ超、８ｍｍ超、１０ｍｍ超、１２ｍｍ超、１５ｍｍ超、２０ｍｍ超、２５ｍｍ超、３０ｍｍ超、４０ｍｍ超、５０ｍｍ超、６０ｍｍ超、８０ｍｍ超、１００ｍｍ超、１５０ｍｍ未満、１００ｍｍ未満、８０ｍｍ未満、６０ｍｍ未満、５０ｍｍ未満、４〜１００ｍｍおよび／または１０〜８０ｍｍである。流量コントローラー５０は、散気装置の下流端１８から離間してもよく、その距離は、２０ｍｍ超、２５ｍｍ超、３０ｍｍ超、４０ｍｍ超、５０ｍｍ超、６０ｍｍ超、８０ｍｍ超、１００ｍｍ超、１５０ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１５０ｍｍ未満、１００ｍｍ未満、８０ｍｍ未満、６０ｍｍ未満、５０ｍｍ未満、５０〜５００ｍｍおよび／または１００〜３００ｍｍである。長手方向に沿った流量コントローラー５０と散気装置の下流端１８との間の距離はまた、流量コントローラー５０の下流の空気流路の長さ７９と呼ばれる。
【００４６】
流量コントローラー５０は、受動圧コントローラー７０を含んでもよく、随意には、受動圧コントローラー７０であってもよい。受動圧コントローラー７０は、存在する場合、散気装置１４内の状態に応じて、受動圧コントローラー７０の構成、形態、形状などを変更する受動デバイスである。受動圧コントローラー７０への変更は、アクチュエータまたは外部制御を用いることなく、状態によって誘発される。例えば、受動圧コントローラー７０は、入口部２０内の空気圧によって（例えば、入口部２０内の空気圧の変化をもたらす受動圧コントローラー７０を通る気流速度の変化によって）直接的または間接的に作動されてもよい。一般に、受動圧コントローラー７０は、弁および／または弁の上流の空気圧を通る空気の流れに応じて部分的に閉じる常開受動弁としてみなされてもよい。例えば、受動圧コントローラー７０は、常開弁、ポペット弁、バタフライ弁、ダイヤフラム弁および／または圧力調整弁を含み、随意には、これらであってもよい。
【００４７】
受動圧コントローラー７０は、受動圧コントローラー７０を横切る圧力差に応じて、受動圧コントローラー７０を通る空気の流れに影響を与えるように構成されてもよい。例えば、受動圧コントローラー７０は、入口部２０内の空気圧が所定の閾値を超える場合に、受動圧コントローラー７０を通る実質的に一定の空気流量を維持するように構成されてもよい。実質的に一定の空気流量は、７００ｇ／ｍｉｎ超、８００ｇ／ｍｉｎ超、９００ｇ／ｍｉｎ超、１，０００ｇ／ｍｉｎ超、１，１００ｇ／ｍｉｎ超、１，２００ｇ／ｍｉｎ超、１，５００ｇ／ｍｉｎ未満、１，２００ｇ／ｍｉｎ未満、８００〜１，２００ｇ／ｍｉｎ、８００Ｌ／ｍｉｎ超、９００Ｌ／ｍｉｎ超、１，０００Ｌ／ｍｉｎ超、１，１００Ｌ／ｍｉｎ超、１，２００Ｌ／ｍｉｎ超、１，３００Ｌ／ｍｉｎ超、１，５００Ｌ／ｍｉｎ未満、１，３００Ｌ／ｍｉｎ未満および／または９００〜１，３００Ｌ／ｍｉｎであってもよい。関連する所定の閾値圧力は、６０ｋＰａ超、７０ｋＰａ超、７５ｋＰａ超、８０ｋＰａ超、９０ｋＰａ超、１００ｋＰａ超、１２０ｋＰａ未満、１００ｋＰａ未満、７０〜１２０ｋＰａ、７０〜１０２ｋＰａ、７０〜９０ｋＰａ、約９０ｋＰａ、約８０ｋＰａおよび／または約７５ｋＰａであってもよい。
【００４８】
受動圧コントローラー７０、ひいては散気装置１４を通る実質的に一定の流れを維持することで、散気装置１４は、関連空調システム１２内の過剰な上流の空気の流れを拒絶するように構成される。（図２の例に示すように）複数の散気装置１４を有する空調システム１２は、こうして、空気の流れを実質的に全ての散気装置１４に分配し、かつ、空気の流れを複数の散気装置１４間に実質的に均等に分配するように構成されてもよい。追加的または代替的に、散気装置の上流端１７への空気の流れ１１および／または関連空調システム１２によって分配された空気の流れよりむしろ、各散気装置１４を通る空気の流れは、受動圧コントローラー７０によって実質的に制御されてもよい。
【００４９】
受動圧コントローラー７０は、一般に、可動性のあるおよび／または弾性的に変形可能な羽根５４を含む。受動圧コントローラー７０の羽根５４は、受動圧コントローラー７０を横切る気圧差に反応する。受動圧コントローラー７０を横切る気圧差は、受動圧コントローラー７０を通る空気の流れが原因となることがある。羽根５４が気圧差に反応すると、流路５６は、開放および／または閉鎖される。一般に、所定の閾値を超える気圧差がない場合、羽根５４は、１つ以上の流路５６を開放状態で維持するように付勢される。（例えば、増加した空気の流れの速度のために）気圧差が増加すると、１つ以上の流路５６は、少なくとも部分的に閉じられる。受動圧コントローラー７０内の流路５６を通過する際の空気の運動量の変化は、圧力差を発生させ、かつ反力をもたらして、少なくとも１つの流路５６を少なくとも部分的に閉じることがある。複数の流路５６を有する受動圧コントローラー７０の例示的で非限定的な例では、流路５６の一部を閉じてもよく、および／または、１つ以上の（および、随意には全ての）流路５６の開放領域は、十分に高い圧力差に応じて減少させてもよい。
【００５０】
受動圧コントローラー７０の羽根５４は、散気装置１４の内部（例えば、ネック部内部３４）に（各々が独立して）弾性的に変形可能であってもよく、および／または、弾性的に連結されてもよい。羽根５４は、流路５６の開閉について説明した圧力差に応じて、（例えば、弾性的に変形、回転するなど）変位するように構成されてもよい。羽根５４は、比較的薄くてもよく、および／または、６ｍｍ未満、４ｍｍ未満、３ｍｍ未満、２ｍｍ未満、１ｍｍ未満、０．５ｍｍ超、１ｍｍ超、２ｍｍ超、３ｍｍ超、４ｍｍ超、１〜６ｍｍおよび／または０．５〜４ｍｍの厚さを有してもよい。
【００５１】
本明細書で説明したような、羽根５４および／または受動圧コントローラー７０に影響を与える圧力差は、散気装置の上流端１７、入口上流端２１および／または流量コントローラーの上流端５１から、入口下流端２２、流量コントローラーの下流端５２、ネック下流端３２、出口下流端４２および／または散気装置の下流端１８までの圧力差であってもよい。圧力差は、２ｋＰａ超、４ｋＰａ超、６ｋＰａ超、８ｋＰａ超、１０ｋＰａ超、１５ｋＰａ超、２０ｋＰａ超、２０ｋＰａ未満、１５ｋＰａ未満、１０ｋＰａ未満、８ｋＰａ未満、６ｋＰａ未満、４ｋＰａ未満および／または２〜１０ｋＰａの、所定の閾値を超える圧力、圧力範囲および／または差圧であってもよい。
【００５２】
追加的または代替的に、流量コントローラー５０は、渦誘起手段７２を含んでもよく、随意には渦誘起手段７２であってもよい。渦誘起手段７２は、存在する場合、空気が渦誘起手段７２を通過するときにいくつかの接線方向の空気の流れ１１を引き起こすように構成される。すなわち、入口部２０を通って渦誘起手段７２まで流れる略軸方向の流れは、渦誘起手段７２において、渦誘起手段７２の中心軸線７８を渦巻くように方向を変えられる。空気の流れ１１の接線方向の流れ成分は、空気の流れが渦誘起手段７２を出るときの、空気の流れ１１の軸方向の流れ成分の実質的に一部であってもよい。例えば、軸方向の空気の流れに対する接線方向の空気の流れの割合は、少なくとも０．２、少なくとも０．３、少なくとも０．４、少なくとも０．５、少なくとも０．８、少なくとも１、少なくとも１．２、最大で５、最大で３、最大で２、最大で１．５、０．２〜５、０．３〜３、０．４〜３、０．５〜３、０．５〜１．５、０．８〜３および／または０．８〜１．５であってもよい。軸方向の空気の流れに対する接線方向の空気の流れの割合は、渦誘起手段７２の下流端（つまり、流量コントローラー５０の下流端５２）で、および／または、渦誘起手段７２の下流のネック部３０内で決定されてもよい。この割合は、速度比または質量流量比であってもよい。渦誘起手段７２は空気の渦を作り出すように構成することができ、この空気の渦は、ネック部３０における空気の渦、および／または、渦誘起手段７２から出口部４０内へ、および／または、散気装置の下流端１８まで、あるいは散気装置の下流端１８を越えて延伸する空気の渦である。
【００５３】
一般に、渦誘起手段７２は中心軸線７８と共に説明することができる。渦誘起手段７２の中心軸線７８は、入口中心軸線２８および／またはネック部中心軸線３８と連続してもよい。渦誘起手段７２は、散気装置１４の近接した内部の特性寸法に対応する、および／または散気装置１４、入口部２０、ネック部３０および出口部４０のうち少なくとも１つの長手方向の寸法に関連する、特性横断方向および／または横方向寸法を有してもよい。例えば、渦誘起手段７２の横方向の幅、横断方向の幅、直径および／または有効径は、散気装置１４の空気流路の長さ１９および／または渦誘起手段７２の下流の空気流路の長さ７９に対して５０％未満、２０％未満、１５％未満、１０％未満、８％未満、５％未満、４％未満、２％未満、１％超、２％超、４％超、５％超、８％超、１０％超、１５％超、および／または２０％超であってもよい。
【００５４】
渦誘起手段７２は、空気がらせん状の態様で渦誘起手段７２を通過することを可能にするように構成される、１つ以上の羽根５４を画成し、および／または含んでもよい。渦誘起手段７２の羽根５４は１つ以上の角度付き流路７６を画定する。羽根５４および／または角度付き流路７６は、湾曲状および／またはらせん状であってもよい。羽根５４および／または角度付き流路７６は、渦誘起手段７２の中心軸線７８に対して、約１０°、約２０°、約３０°、約４０°、約４５°、約５０°、約６０°、約７０°、約８０°、約９０°、２０°〜７０°、３０°〜７０°、３０°〜６０°、４０°〜７０°および／または４０°〜６０°のピッチ、平均ピッチ、有効ピッチおよび／または角度を有してもよい。渦誘起手段７２の羽根５４は、例えば、中央ハブ７４などの中央点または中央部品で一体に接続されてもよい。例えば、ハブ７４は、１つ、少なくとも１つの、２つ、少なくとも２つの、あるいは全ての羽根５４に接続してもよい。あるいは、渦誘起手段７２は、ハブ７４を含まなくてもよい。ハブ７４は、存在する場合、ハブ７４を通る全ての、または実質的に全ての空気の流れを概ね遮断する、つまり、ハブ７４は、一般に流路５６を全く有さない。１つ以上の羽根５４がハブ７４に接続されない場合、羽根５４は、散気装置１４の内部から空気流路に突出することがある。突起羽根５４によって画定された角度付き流路７６は、概ね中心軸線７８をたどる中央流路５６と合流してもよい。突起羽根５４は、散気装置１４の内部を単に部分的に遮断してもよく、および／または、渦誘起手段７２の特性横方向および／または横断方向寸法（例えば、横方向の幅、横断方向の幅、直径および／または有効径）の半分よりも短い径方向長さを有してもよい。例えば、突起羽根５４の径方向長さは、渦誘起手段７２の横方向および／または横断方向の特性寸法に対して、５０％未満、２０％未満、１５％未満、１０％未満、８％未満、５％未満、４％未満、２％未満、１％超、２％超、４％超、５％超、８％超、１０％超、１５％超、および／または２０％超であってもよい。
【００５５】
渦誘起手段７２の羽根５４および／または角度付き流路７６は、放射状（線または半径状に配置）および／または周状（周囲のセグメント状に配置）に配置されてもよい。このようなパターンでは、個別の羽根５４および／または角度付き流路７６を、角度的および／または径方向に離間しているとして説明することができる。典型的には、このようなパターンは、中心軸線７８および／またはハブ７４を中心としてもよく、および／または、これらの周りに配置されてもよい。
【００５６】
流量コントローラー５０の例示的で非限定的な例を、図６〜図７に示す。例えば、図６は、固定ファン（中心軸を中心に回転しないファン形状）の形態の流量コントローラー５０を表している。固定ファンは、複数の羽根５４および複数の角度付き流路７６を含み、これら羽根５４および角度付き流路７６は、流量コントローラー５０に入る略長手方向の空気の流れ１１に、（長手方向軸周りに）円運動を付与するように構成される。したがって、図６に示す実施形態もまた、渦誘起手段７２である。羽根５４は、弾性的に変形可能であってもよく、および／または、散気装置１４の内部および／または中央ハブ７４に弾性的に連結されてもよい。図示の羽根５４の配置は、流量コントローラー５０を横切る圧力差の増加に応じて、羽根が弾性的に変形して、角度付き流路７６を閉じることを可能にする。したがって、図６に示す実施形態もまた、受動圧コントローラー７０であってもよい。
【００５７】
図７は、へリックスの形態の流量コントローラー５０を表している。へリックスは、角度付き流路７６を画定する単一のらせん状羽根５４である。図６と同様に、図７の流量コントローラー５０は渦誘起手段７２であり、（羽根５４が、弾性的に変形可能および／または散気装置１４の内部および／または中央ハブ７４に弾性的に連結される場合）受動圧コントローラー７０であってもよい。流量コントローラー５０の他の随意の実施形態は、ルーバーおよび／またはオリフィスプレートを含んでもよい。例えば、角度オリフィスを有するプレートは、渦誘起手段７２として構成されてもよい。別の例として、ルーバーは、流量コントローラー５０に流入および／または流出する空気の方向を変えてもよく、これにより、流量コントローラー５０は、接線方向の空気の流れを付与し、かつ、渦誘起手段７２となる。
【００５８】
図３〜図５の広範な説明に戻って、散気装置１４はまた、随意のバッフル６０を備えてもよく、このバッフル６０は、概ね散気装置１４の内部、典型的にはネック部３０、出口部４０および／またはネック部３０と出口部４０との境界面内に位置する。バッフル６０は、存在する場合、流量コントローラー５０の下流に位置し、したがって、概ね散気装置の下流端１８を向いている。バッフル６０は、ネック下流端３２および出口上流端４１に近接してもよい。さらに、バッフル６０は、ネック部３０および／または出口部４０に連結され、および／またはこれらに動作可能に連結されてもよい。
【００５９】
一般に、バッフル６０は、ネック部中心軸線３８および／または出口中心軸線４８に対して略垂直であるか、または傾斜している。バッフル６０とネック部中心軸線３８および／または出口中心軸線４８との間の関係は、図５に最良に示すように、角度９２によって特徴付けられてもよい。バッフル６０とネック部中心軸線３８との間、および／または、バッフル６０と出口中心軸線４８との間の角度９２は、１０°超、１５°超、２０°超、２５°超、３０°超、３５°超、４０°超、４５°超、５０°超、５５°超、６０°超、６５°超、７０°超、７５°超、８５°超、９０°未満、７５°未満、７０°未満、６５°未満、６０°未満、５５°未満、５０°未満、４５°未満、４０°未満、３５°未満、３０°未満、２５°未満、２０°未満、１５°未満、１０°〜５０°、１５°〜４５°、２０°〜４５°、２５°〜３５°、約９０°、約７５°、約６０°、約４５°、約３０°および／または約１５°であってもよい。
【００６０】
バッフル６０は、流れ抵抗を生成し、および／または、散気装置１４内に背圧をもたらすように構成されてもよい。流れ抵抗は、概ねネック上流端３１と出口下流端４２との間に存在する。背圧は、概ねネック上流端３１の背圧である。一般に、バッフル６０は、出口下流端４２の出口部４０の横方向の幅８５を横切る空気の流れを分散するように構成されてもよい。空気の流れを分散し、かつ、静かな空気の流れを維持することができ得る或る構成は、ネック上流端３１から出口下流端４２までの蛇行した空気流路を含む。一般に、バッフル６０の流れの制限は、上流の騒音の直接伝達を防ぎ、ネック部の内部、出口部の内部、随意のネック部消音材料３９および／または随意の出口消音材料４９と相互作用するように空気の流れを変更する。
【００６１】
バッフル６０は、第１の端部６６および第２の端部６７によって特徴づけられるバッフルプレート６４であってもよい。バッフルプレート６４は、ネック下流端３２のネック部３０の内部の横方向の幅８１および／または出口上流端４１の出口部４０の内部の横方向の幅８３に、実質的に及ぶことがある。追加的または代替的に、バッフルプレート６４は、横方向全体のネック部３０の内部および／または出口部４０に実質的に及んでもよい。バッフルプレート６４は、実質的に平坦であってもよく、平坦領域、湾曲状領域および／または円形領域を含んでもよい。
【００６２】
一般に、バッフルプレート６４は、第１の端部６６および／または第２の端部６７付近の空気の流れを実質的に制限するように構成される。例えば、第１の端部６６および／または第２の端部６７は、ネック部３０および／または出口部４０の１つ以上の内面、例えば、ネック部３０の内部の横断面８８および／または出口部４０の内部の横断面９０に近接して連結されてもよい。第１の端部６６および／または第２の端部６７が散気装置１４の内面付近にある場合、内面は、例えばネック部消音材料３９および出口消音材料４９などの消音材料を含むか、あるいは、第１の端部６６および／または第２の端部６７に近接した消音材料を本質的に含まなくてもよい。ネック部３０がネック部消音材料３９を含む場合、ネック部消音材料３９は、第１の端部６６および／または第２の端部６７付近に、例えば、ネック部３０の内部の横断面８８に沿って材料の間隙を画定してもよい。出口部４０が消音材料４９を含む場合、出口消音材料４９は、第１の端部６６および／または第２の端部６７付近に、例えば、出口部４０の内部の横断面９０に沿って材料の間隙を画定してもよい。
【００６３】
一般に、バッフルプレート６４は、バッフルプレート６４とネック部３０および／または出口部４０の内部との間に、１つ以上の間隙６５を画定する。間隙６５は、間隙６５がバッフルプレート６４とネック部３０の内部の側面８７および／または出口部４０の内部の側面８９との間にある場合、横方向全体で、ネック部３０および／または出口部４０の内部に実質的に及ぶ。間隙６５の横方向の幅は、ネック下流端３２の横方向の幅８１および／または出口上流端４１の横方向の幅８３とほぼ同じであってもよい。間隙６５の開放領域は、出口下流端４２の開放領域に対して次の割合を有してもよく、その割合は、５０％未満、４０％未満、３５％未満、３０％未満、２５％未満、２０％未満、１５％未満、１２％未満、１０％未満、８％未満、５％超、８％超、１０％超、１２％超、１５％超、２０％超、２５％超、３０％超、３５％超、４０％超、５〜５０％、８〜３０％、８〜２０％、１０〜３５％、約８％、約１０％、約１２％、約１５％、約２０％、約２５％、約３０％および／または約３３％である。ネック部３０の内面および／または間隙６５付近の出口部４０は、間隙６５付近で実質的に平坦であってもよく、バッフルプレート６４から離れて湾曲し、および／または、バッフルプレート６４に向かって湾曲していてもよい。
【００６４】
バッフルプレート６４は、間隙６５付近の第３の端部６８、および第３の端部６８に対向する第４の端部６９を有してもよい。第３の端部６８は、空気の流れを円滑に分割するように構成されてもよく、楔形状、アール状および／または球状であってもよい。第３の端部６８は、第４の端部６９の上流または下流にあってもよい。第４の端部６９は、概ね、ネック部３０および／または出口部４０の内面付近にあり、ネック部３０および／または出口部４０に動作可能に連結されてもよい。例えば、第４の端部６９は、ネック部３０の内部の側面８７付近、および／または、出口部４０の内部の側面８９付近にあってもよい。さらに、バッフルプレート６４は、空気が本質的に一方向から出入りするデッドボリュームを、第４の端部６９とネック部３０の内面および／または出口部４０の内面との間に画定する。
【００６５】
本開示に従う発明の主題の例示的で非限定的な例を、以下に列挙した段落に記載する。
【００６６】
［Ａ１．］
航空機客室の散気装置であって、
開いた内部を有する入口部と、
入口部の下流の、開いた内部を有するネック部と、
開いた内部を有する出口部であって、ネック部の下流にある出口部と、
ネック部の開いた内部に設けられた流量コントローラーと
を備える、散気装置。
【００６７】
［Ａ１．１．］
入口部が略円形および／または略楕円形の内部輪郭を有する、段落Ａ１に記載の散気装置。
【００６８】
［Ａ１．２．］
入口部は、内部輪郭を有し、出口部は、入口部の内部輪郭とは異なり、必要に応じて実質的に異なる内部輪郭を有する、段落Ａ１〜Ａ１．１のいずれかに記載の散気装置。
【００６９】
［Ａ１．３．］
出口部は、略長円形および／または略長方形の内部輪郭を有する、段落Ａ１〜Ａ１．１のいずれかに記載の散気装置。
【００７０】
［Ａ２．］
流量コントローラーは、２ｋＰａ超、４ｋＰａ超、６ｋＰａ超、８ｋＰａ超、１０ｋＰａ超、１５ｋＰａ超、２０ｋＰａ超、２０ｋＰａ未満、１５ｋＰａ未満、１０ｋＰａ未満、８ｋＰａ未満、６ｋＰａ未満、４ｋＰａ未満、および／または２〜１０ｋＰａの気圧差を生じさせるように構成される、段落Ａ１〜Ａ１．３のいずれかに記載の散気装置。
【００７１】
［Ａ２．１．］
気圧差は入口部から出口部までの間で起こる、段落Ａ２に記載の散気装置。
【００７２】
［Ａ２．２．］
気圧差は、流量コントローラーの上流端から流量コントローラーの下流端までの間で起こる、段落Ａ２〜Ａ２．１のいずれかに記載の散気装置。
【００７３】
［Ａ３．］
流量コントローラーが入口部から出口部までの空気の流れを制限するように構成される、段落Ａ１〜Ａ２．２のいずれかに記載の散気装置。
【００７４】
［Ａ４．］
流量コントローラーが入口部に近接している、段落Ａ１〜Ａ３のいずれかに記載の散気装置。
【００７５】
［Ａ５．］
流量コントローラーが入口部および／またはネック部に動作可能に連結される、段落Ａ１〜Ａ４のいずれかに記載の散気装置。
【００７６】
［Ａ６．］
流量コントローラーは、受動圧コントローラーを含み、かつ、必要に応じて受動圧コントローラーであり、受動圧コントローラーを横切る気圧差に応じて、受動圧コントローラーを通る空気の流れに影響を与えるように随意に構成される、段落Ａ１〜Ａ５のいずれかに記載の散気装置。
【００７７】
［Ａ６．１．］
受動圧コントローラーは、入口部内の空気圧が所定の閾値を超える場合に、受動圧コントローラーを通る実質的に一定の空気流量を維持するように構成され、随意には、実質的に一定の空気流量は、７００ｇ／ｍｉｎ超、８００ｇ／ｍｉｎ超、９００ｇ／ｍｉｎ超、１，０００ｇ／ｍｉｎ超、１，１００ｇ／ｍｉｎ超、１，２００ｇ／ｍｉｎ超、１，５００ｇ／ｍｉｎ未満、１，２００ｇ／ｍｉｎ未満、８００〜１，２００ｇ／ｍｉｎ、８００Ｌ／ｍｉｎ超、９００Ｌ／ｍｉｎ超、１，０００Ｌ／ｍｉｎ超、１，１００Ｌ／ｍｉｎ超、１，２００Ｌ／ｍｉｎ超、１，３００Ｌ／ｍｉｎ超、１，５００Ｌ／ｍｉｎ未満、１，３００Ｌ／ｍｉｎ未満、および／または９００〜１，３００Ｌ／ｍｉｎであり、随意には、所定の閾値は、６０ｋＰａ超、７０ｋＰａ超、７５ｋＰａ超、８０ｋＰａ超、９０ｋＰａ超、１００ｋＰａ超、１２０ｋＰａ未満、１００ｋＰａ未満、７０〜１２０ｋＰａ、７０〜１０２ｋＰａ、７０〜９０ｋＰａ、約９０ｋＰａ、約８０ｋＰａおよび／または約７５ｋＰａである、段落Ａ６に記載の散気装置。
【００７８】
［Ａ６．２．］
受動圧コントローラーは、入口部内の空気圧、および／または、受動圧コントローラーを通る気流速度によって作動するように構成される、段落Ａ６〜Ａ６．１のいずれかに記載の散気装置。
【００７９】
［Ａ６．３．］
受動圧コントローラーは、１つ以上の流路を画定する１つ以上の羽根を含む、段落Ａ６〜Ａ６．２のいずれかに記載の散気装置。
【００８０】
［Ａ６．３．１．］
１つ以上の羽根は、入口部から出口部への気圧差の増大に応じて、１つ以上の流路の開放領域を減少させるように構成される、段落Ａ６．３に記載の散気装置。
【００８１】
［Ａ６．３．２．］
１つ以上の羽根は、入口部と出口部との間の気圧差がない場合に、１つ以上の流路を開放状態で維持するように付勢される、段落Ａ６．３〜Ａ６．３．１のいずれかに記載の散気装置。
【００８２】
［Ａ６．３．３．］
少なくとも１つの羽根、必要に応じて全ての羽根は、ネック部の内部に弾性的に連結される、段落Ａ６．３〜Ａ６．３．２のいずれかに記載の散気装置。
【００８３】
［Ａ６．３．４．］
少なくとも１つの羽根、必要に応じて全ての羽根は、入口部から出口部までの気圧差に応じて弾性的に変形するように構成され、この気圧差は、２ｋＰａ超、４ｋＰａ超、６ｋＰａ超、８ｋＰａ超、１０ｋＰａ超、１５ｋＰａ超、２０ｋＰａ超、２０ｋＰａ未満、１５ｋＰａ未満、１０ｋＰａ未満、８ｋＰａ未満、６ｋＰａ未満、４ｋＰａ未満、および／または２〜１０ｋＰａである、段落Ａ６．３〜Ａ６．３．３のいずれかに記載の散気装置。
【００８４】
［Ａ６．３．５．］
受動圧コントローラーは、上流端および下流端を有し、少なくとも１つの羽根、必要に応じて全ての羽根は、受動圧コントローラーの上流端から受動圧コントローラーの下流端までの、気圧差に応じて弾性的に変形するように構成され、この気圧差は、２ｋＰａ超、４ｋＰａ超、６ｋＰａ超、８ｋＰａ超、１０ｋＰａ超、１５ｋＰａ超、２０ｋＰａ超、２０ｋＰａ未満、１５ｋＰａ未満、１０ｋＰａ未満、８ｋＰａ未満、６ｋＰａ未満、４ｋＰａ未満、および／または２〜１０ｋＰａである、段落Ａ６．３〜Ａ６．３．４のいずれかに記載の散気装置。
【００８５】
［Ａ６．３．６．］
少なくとも１つの羽根、必要に応じて全ての羽根の厚さは、６ｍｍ未満、４ｍｍ未満、３ｍｍ未満、２ｍｍ未満、１ｍｍ未満、０．５ｍｍ超、１ｍｍ超、２ｍｍ超、３ｍｍ超、４ｍｍ超、１〜６ｍｍおよび／または０．５〜４ｍｍである、段落Ａ６．３〜Ａ６．３．５のいずれかに記載の散気装置。
【００８６】
［Ａ６．３．７．］
少なくとも１つの羽根、必要に応じて全ての羽根は、随意には、翼、膜、ダイヤフラム、フラップ、リーフ、リーフレット、フィン、突起部、ノジュール、バッフル、ルーバー、ディスクおよび／またはポペットを含む、段落Ａ６．３〜Ａ６．３．６のいずれかに記載の散気装置。
【００８７】
［Ａ６．４．］
受動圧コントローラーは、随意には、常開弁、ポペット弁、バタフライ弁、ダイヤフラム弁および／または圧力調整弁を含む、段落Ａ６〜Ａ６．３．７のいずれかに記載の散気装置。
【００８８】
［Ａ７．］
流量コントローラーは、随意には、渦誘起手段を含む、段落Ａ１〜Ａ６．４のいずれかに記載の散気装置。
【００８９】
［Ａ７．１．］
渦誘起手段は、空気が渦誘起手段を通過するとき、接線方向の空気の流れを引き起こすように構成され、随意には、軸方向の空気の流れに対する接線方向の空気の流れの割合は、少なくとも０．２、少なくとも０．３、少なくとも０．４、少なくとも０．５、少なくとも０．８、少なくとも１、少なくとも１．２、最大で５、最大で３、最大で２、最大で１．５、０．２〜５、０．３〜３、０．４〜３、０．５〜３、０．５〜１．５、０．８〜３および／または０．８〜１．５である、段落Ａ７に記載の散気装置。
【００９０】
［Ａ７．２．］
渦誘起手段は、ネック部内に空気の渦、随意には、渦誘起手段から出口部内へ延伸する空気の渦を作り出すように構成される、段落Ａ７−Ａ７．１のいずれかに記載の散気装置。
【００９１】
［Ａ７．３．］
渦誘起手段は、横方向の幅、横断方向の幅、直径および／または有効径である特性寸法を有し、散気装置は、随意には渦誘起手段の下流の空気流路の長さを有し、空気流路の長さに対する特性寸法の割合は、５０％未満、２０％未満、１５％未満、１０％未満、８％未満、５％未満、４％未満、２％未満、１％超、２％超、４％超、５％超、８％超、１０％超、１５％超、および／または２０％超の割合である、段落Ａ７−Ａ７．２のいずれかに記載の散気装置。
【００９２】
［Ａ７．４．］
渦誘起手段は中心軸を含み、随意には、渦誘起手段の中心軸は、入口中心軸線と連続しており、随意には、渦誘起手段の中心軸は、ネック部中心軸線と連続している、段落Ａ７−Ａ７．３のいずれかに記載の散気装置。
【００９３】
［Ａ７．５．］
渦誘起手段は、１つ以上の、随意には複数の角度付き流路を画定する１つ以上の、随意には複数の羽根を含む、段落Ａ７−Ａ７．４のいずれかに記載の散気装置。
【００９４】
［Ａ７．５．１．］
複数の角度付き流路は、放射状および／または周状、随意には、渦誘起手段の中心軸および／または渦誘起手段のハブの周りに配置される、段落Ａ７．５に記載の散気装置。
【００９５】
［Ａ７．５．２．］
渦誘起手段は、１、２、３、４、５、６、７、８、９、１０、１１、１２、２〜１２、４〜１２、６〜１０、少なくとも５、少なくとも８および／または少なくとも１２枚の羽根を含む、段落Ａ７．５〜Ａ７．５．１のいずれかに記載の散気装置。
【００９６】
［Ａ７．５．３．］
１つ以上の羽根は、１、２、３、４、５、６、７、８、９、１０、１１、１２、２〜１２、４〜１２、６〜１０、少なくとも５、少なくとも８および／または少なくとも１２個の角度付き流路を画定する、段落Ａ７．５〜Ａ７．５．２のいずれかに記載の散気装置。
【００９７】
［Ａ７．５．４．］
角度付き流路は、渦誘起手段の中心軸から約１０°、約２０°、約３０°、約４０°、約４５°、約５０°、約６０°、約７０°、約８０°、約９０°、２０°〜７０°、３０°〜７０°、３０°〜６０°、４０°〜７０°および／または４０°〜６０°の角度をなす、段落Ａ７．５〜Ａ７．５．３のいずれかに記載の散気装置。
【００９８】
［Ａ７．５．５．］
羽根および／または角度付き流路は、湾曲状および／またはらせん状である、段落Ａ７．５〜Ａ７．５．４のいずれかに記載の散気装置。
【００９９】
［Ａ７．５．６．］
少なくとも２つ、随意には全ての角度付き流路は、径方向および／または角度的に離間している、段落Ａ７．５〜Ａ７．５．５のいずれかに記載の散気装置。
【０１００】
［Ａ７．５．７．］
渦誘起手段は、中央ハブ、必要に応じて少なくとも１つの羽根に接続する中央ハブを含む、段落Ａ７．５〜Ａ７．５．６のいずれかに記載の散気装置。
【０１０１】
［Ａ７．５．７．１．］
中央ハブは、少なくとも２つ、随意には全ての羽根を一体に接続する、段落Ａ７．５．７に記載の散気装置。
【０１０２】
［Ａ７．５．８．］
少なくとも１つの羽根、必要に応じて全ての羽根は、ネック部の内部に連結される、段落Ａ７．５〜Ａ７．５．７．１のいずれかに記載の散気装置。
【０１０３】
［Ａ７．５．９．］
少なくとも１つの羽根、必要に応じて全ての羽根は、随意には、翼、膜、ダイヤフラム、フラップ、リーフ、リーフレット、フィン、突起部、ノジュール、バッフル、ルーバー、ディスクおよび／またはポペットを含む、段落Ａ７．５〜Ａ７．５．８のいずれかに記載の散気装置。
【０１０４】
［Ａ７．６．］
渦誘起手段は、随意には、固定ファン、へリックス、オリフィスプレートおよび／またはルーバーを含む、段落Ａ７〜Ａ７．５．９のいずれかに記載の散気装置。
【０１０５】
［Ａ８．］
入口部は、入口上流端および入口下流端を有し、随意には、入口部は、入口下流端の開放領域よりも小さい入口上流端の開放領域を有する、段落Ａ１〜Ａ７．６のいずれかに記載の散気装置。
【０１０６】
［Ａ９．］
入口部は、管、略円筒状シェルおよび／または略テーパ状シェルである、段落Ａ１〜Ａ８のいずれかに記載の散気装置。
【０１０７】
［Ａ１０．］
入口部の内部輪郭は、入口上流端の内部輪郭および／または入口下流端の内部輪郭である、段落Ａ１〜Ａ９のいずれかに記載の散気装置。
【０１０８】
［Ａ１１．］
入口部は、入口上流端と入口下流端との間に延びる、段落Ａ１〜Ａ１０のいずれかに記載の散気装置。
【０１０９】
［Ａ１２．］
入口部は、入口上流端と入口下流端との間に入口中心軸線を有し、随意には、入口中心軸線は略直線状である、段落Ａ１〜Ａ１１のいずれかに記載の散気装置。
【０１１０】
［Ａ１３．］
入口部の内部は、略直線状および／または実質的に分岐した空気流路を画定する、段落Ａ１〜Ａ１２のいずれかに記載の散気装置。
【０１１１】
［Ａ１４．］
入口部は、入口下流端から離れた方向に向かう空気流路を作るように構成された分岐管を含む、段落Ａ１〜Ａ１３のいずれかに記載の散気装置。
【０１１２】
［Ａ１５．］
ネック部は、ネック上流端とネック下流端とを有し、随意には、ネック部は、ネック上流端に近接し、管および／または略円筒状シェルである第１の領域を有する、段落Ａ１〜Ａ１４のいずれかに記載の散気装置。
【０１１３】
［Ａ１６．］
ネック部は、ネック下流端に近接し、管および／または概ねに開放箱状である第２の領域を有する、段落Ａ１〜Ａ１５のいずれかに記載の散気装置。
【０１１４】
［Ａ１７．］
ネック部はネック上流端とネック下流端との間に遷移領域を有し、遷移領域は不均一な内部輪郭を有し、随意には、遷移領域の内部は、滑らかな空気流路を画定し、弧状表面を有し、アール状角部を有し、非尖状角部を有し、および／または、本質的に尖状角部を含まない、段落Ａ１〜Ａ１６のいずれかに記載の散気装置。
【０１１５】
［Ａ１８．］
ネック上流端のネック部は、略円形および／または略楕円形である内部輪郭を有する、段落Ａ１〜Ａ１７のいずれかに記載の散気装置。
【０１１６】
［Ａ１９．］
ネック下流端のネック部は、略円形、略楕円形、略長円形および／または略長方形である内部輪郭を有する、段落Ａ１〜Ａ１８のいずれかに記載の散気装置。
【０１１７】
［Ａ２０．］
ネック部は、ネック上流端において第１の内部輪郭を有し、かつ、ネック下流端において第２の内部輪郭を有し、ここで、第１の内部輪郭および第２の内部輪郭は異なる、段落Ａ１〜Ａ１９のいずれかに記載の散気装置。
【０１１８】
［Ａ２１．］
ネック部は、ネック上流端とネック下流端との間に延びる、段落Ａ１〜Ａ２０のいずれかに記載の散気装置。
【０１１９】
［Ａ２２．］
ネック部は、ネック上流端とネック下流端との間にネック部中心軸線を有し、随意には、ネック部中心軸線は略直線状または略湾曲状であり、かつ、随意には、ネック部中心軸線は入口中心軸線と連続している、段落Ａ１〜Ａ２１のいずれかに記載の散気装置。
【０１２０】
［Ａ２３．］
ネック部の内部は、略直線状の空気流路を画定する、段落Ａ１〜Ａ２２のいずれかに記載の散気装置。
【０１２１】
［Ａ２４．］
ネック部の内部は、略湾曲状の空気流路を画定する、段落Ａ１〜Ａ２３のいずれかに記載の散気装置。
【０１２２】
［Ａ２４．１．］
空気流路の主曲率面は、ネック下流端のネック部の内部の横方向の幅に対して略直交する、段落Ａ２４に記載の散気装置。
【０１２３】
［Ａ２５．］
ネック部は、ネック上流端に流入する空気を、ネック下流端から流出するときに異なる方向へ導くように構成される、段落Ａ１〜Ａ２４．１のいずれかに記載の散気装置。
【０１２４】
［Ａ２６．］
ネック部はネック部消音材料を含み、随意には、ネック部消音材料は、耐火材料および／またはアラミド繊維を含む、段落Ａ１〜Ａ２５のいずれかに記載の散気装置。
【０１２５】
［Ａ２６．１．］
ネック部消音材料は、ネック部の内面に連結される、段落Ａ２６に記載の散気装置。
【０１２６】
［Ａ２６．２．］
ネック部消音材料は、ネック部内で連続している、段落Ａ２６〜Ａ２６．１のいずれかに記載の散気装置。
【０１２７】
［Ａ２６．３．］
ネック部消音材料は、ほとんど、大部分および／または実質的に全てのネック部の内部を覆う、段落Ａ２６〜Ａ２６．２のいずれかに記載の散気装置。
【０１２８】
［Ａ２６．４．］
ネック部消音材料は、ネック部の内部の一部を覆い、この割合は、２０％超、４０％超、５０％超、６０％超、７５％超、９０％超、約５０％、約７５％または約１００％である、段落Ａ２６〜Ａ２６．３のいずれかに記載の散気装置。
【０１２９】
［Ａ２６．５．］
ネック下流端のネック部の内部は側面および横断面を有し、側面はネック部消音材料によって実質的に覆われ、随意には、横断面はネック部消音材料を実質的に含まない、段落Ａ２６〜Ａ２６．４のいずれかに記載の散気装置。
【０１３０】
［Ａ２７．］
ネック部は、ネック上流端に、ネック下流端の開放領域よりも小さい開放領域を有する、段落Ａ１〜Ａ２６．５のいずれかに記載の散気装置。
【０１３１】
［Ａ２８．］
ネック下流端のネック部の内部は、ネック上流端のネック部の内部の特性寸法よりも大きい横方向の幅を有し、ここで、特性寸法は、横方向の幅、横断方向の幅、直径および／または有効径であり、随意には、横方向の幅に対する特性寸法の割合は、５０％未満、４０％未満、３０％未満、２５％未満、２０％未満、１５％未満、１２％未満、１０％未満、８％未満、８〜５０％、８〜２５％、約２０％、約１５％、および／または約１２％である、段落Ａ１〜Ａ２７のいずれかに記載の散気装置。
【０１３２】
［Ａ２９．］
ネック下流端におけるネック部の内部は、ネック上流端におけるネック部の内部の特性寸法とほぼ等しいか、あるいはこれよりも小さい横断方向の幅を有し、特性寸法は、横方向の幅、横断方向の幅、直径および／または有効径であり、随意には、特性寸法に対する横断方向の幅の割合は、１２０％未満、１００％未満、８０％未満、６０％未満、５０％未満、４０％未満、３０％未満、２５％未満、２０％未満、２０〜１００％、３０〜５０％、約１００％、約５０％、約３３％、および／または約２５％である、段落Ａ１〜Ａ２８のいずれかに記載の散気装置。
【０１３３】
［Ａ３０．］
ネック下流端におけるネック部の内部は、横方向の幅および横断方向の幅を有し、横方向の幅は横断方向の幅よりも大きく、随意には、横方向の幅に対する横断方向の幅の割合は、５０％未満、４０％未満、３０％未満、２５％未満、２０％未満、１５％未満、１２％未満、１０％未満、８％未満、７％未満、６％未満、５％未満、４％未満、４〜４０％、５〜２５％、１０〜２５％、約２５％、約２０％、約１５％、および／または約１２％である、段落Ａ１〜Ａ２９のいずれかに記載の散気装置。
【０１３４】
［Ａ３１．］
ネック上流端におけるネック部の内部の特性寸法は、２０ｍｍ超、３０ｍｍ超、４０ｍｍ超、５０ｍｍ超、６０ｍｍ超、８０ｍｍ超、１００ｍｍ超、１００ｍｍ未満、８０ｍｍ未満、６０ｍｍ未満、５０ｍｍ未満、３０〜１００ｍｍおよび／または４０〜６０ｍｍであり、ここで、特性寸法は、横方向の幅、横断方向の幅、直径および／または有効径である、段落Ａ１〜Ａ３０のいずれかに記載の散気装置。
【０１３５】
［Ａ３２．］
ネック下流端におけるネック部の内部の横方向の幅は、１００ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１００〜５００ｍｍ、２００〜３００ｍｍおよび／または約２８０ｍｍである、段落Ａ１〜Ａ３１のいずれかに記載の散気装置。
【０１３６】
［Ａ３３．］
ネック下流端におけるネック部の内部の横方向の幅は、ネック部中心軸線の長さと実質的に同じであるか、あるいはこれよりも小さい、段落Ａ１〜Ａ３２のいずれかに記載の散気装置。
【０１３７】
［Ａ３４．］
出口部は、管、概ね開放箱状および／または概ねテーパ箱状である、段落Ａ１〜Ａ３３のいずれかに記載の散気装置。
【０１３８】
［Ａ３５．］
出口部は出口下流端を含み、出口部の内部輪郭は、出口下流端の内部輪郭である、段落Ａ１〜Ａ３４のいずれかに記載の散気装置。
【０１３９】
［Ａ３５．１．］
出口部は出口上流端を含み、出口部は、略円形、略楕円形、略長円形および／または略長方形である出口上流端の内部輪郭を有する、段落Ａ３５に記載の散気装置。
【０１４０】
［Ａ３６．］
出口部は、出口上流端と出口下流端との間で細長い、段落Ａ１〜Ａ３５．１のいずれかに記載の散気装置。
【０１４１】
［Ａ３７．］
出口部は、出口上流端と出口下流端との間に出口中心軸線を有し、随意には、出口中心軸線は略直線状または略湾曲状であり、随意には、出口中心軸線はネック部中心軸線と連続している、段落Ａ１〜Ａ３６のいずれかに記載の散気装置。
【０１４２】
［Ａ３８．］
出口部の内部は、略直線状および／または実質的に収束状の空気流路を画定する、段落Ａ１〜Ａ３７のいずれかに記載の散気装置。
【０１４３】
［Ａ３９．］
出口部の内部は、略湾曲状の空気流路を画定する、段落Ａ１〜Ａ３８のいずれかに記載の散気装置。
【０１４４】
［Ａ３９．１．］
空気流路の主曲率面は、出口上流端における出口部の内部の横方向の幅に対して略直交する、段落Ａ３９に記載の散気装置。
【０１４５】
［Ａ４０．］
出口部は、出口上流端に流入する空気を、出口下流端から流出するときに異なる方向へ導くように構成される、段落Ａ１〜Ａ３９．１のいずれかに記載の散気装置。
【０１４６】
［Ａ４１．］
出口部は出口消音材料を含み、随意には、出口消音材料は、耐火材料および／またはアラミド繊維を含む、段落Ａ１〜Ａ４０のいずれかに記載の散気装置。
【０１４７】
［Ａ４１．１．］
出口消音材料は、出口部の内面に連結される、段落Ａ４１に記載の散気装置。
【０１４８】
［Ａ４１．２．］
出口消音材料は、出口部内で連続している、段落Ａ４１〜Ａ４１．１のいずれかに記載の散気装置。
【０１４９】
［Ａ４１．３．］
出口消音材料は、ほとんど、大部分および／または実質的に全ての出口部の内部を覆う、段落Ａ４１〜Ａ４１．２のいずれかに記載の散気装置。
【０１５０】
［Ａ４１．４．］
出口消音材料は、出口部の内部の一部を覆い、この割合は、２０％超、４０％超、５０％超、６０％超、７５％超、９０％超、約５０％、約７５％または約１００％である、段落Ａ４１〜Ａ４１．３のいずれかに記載の散気装置。
【０１５１】
［Ａ４１．５．］
出口上流端における出口部の内部は側面および横断面を有し、側面は出口消音材料によって実質的に覆われ、随意には、横断面は出口消音材料を実質的に含まない、段落Ａ４１〜Ａ４１．４のいずれかに記載の散気装置。
【０１５２】
［Ａ４２．］
出口部は、出口上流端において、出口下流端の開放領域よりも大きい開放領域を有する、段落Ａ１〜Ａ４１．５のいずれかに記載の散気装置。
【０１５３】
［Ａ４３．］
出口上流端における出口部の内部は、横方向の幅および横断方向の幅を有し、ここで、横方向の幅は横断方向の幅よりも大きく、随意には、横方向の幅に対する横断方向の幅の割合は、５０％未満、４０％未満、３０％未満、２５％未満、２０％未満、１５％未満、１２％未満、１０％未満、８％未満、７％未満、６％未満、５％未満、４％未満、４〜４０％、５〜２５％、１０〜２５％、約２５％、約２０％、約１５％および／または約１２％である、段落Ａ１〜Ａ４２のいずれかに記載の散気装置。
【０１５４】
［Ａ４４．］
出口上流端の出口部の内部の横方向の幅は、１００ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１００〜５００ｍｍ、２００〜３００ｍｍおよび／または約２８０ｍｍである、段落Ａ１〜Ａ４３のいずれかに記載の散気装置。
【０１５５】
［Ａ４５．］
出口上流端における出口部の内部の横断方向の幅は、１０ｍｍ超、２０ｍｍ超、３０ｍｍ超、４０ｍｍ超、５０ｍｍ超、７０ｍｍ超、１００ｍｍ超、１５０ｍｍ超、２００ｍｍ未満、１５０ｍｍ未満、１００ｍｍ未満、７０ｍｍ未満、５０ｍｍ未満、４０ｍｍ未満、３０ｍｍ未満、２０ｍｍ未満、１０〜２００ｍｍ、２０〜１００ｍｍ、２０〜７０ｍｍ、約２０ｍｍおよび／または約５０ｍｍである、段落Ａ１〜Ａ４４のいずれかに記載の散気装置。
【０１５６】
［Ａ４６．］
出口下流端における出口部の内部は横方向の幅および横断方向の幅を有し、横方向の幅は横断方向の幅よりも大きく、随意には、横方向の幅に対する横断方向の幅の割合は、５０％未満、４０％未満、３０％未満、２５％未満、２０％未満、１５％未満、１２％未満、１０％未満、８％未満、７％未満、６％未満、５％未満、４％未満、４〜４０％、５〜２５％、１０〜２５％、約２５％、約２０％、約１５％、および／または約１２％である、段落Ａ１〜Ａ４５のいずれかに記載の散気装置。
【０１５７】
［Ａ４７．］
出口下流端における出口部の内部の横方向の幅は、１００ｍｍ超、２００ｍｍ超、３００ｍｍ超、４００ｍｍ超、５００ｍｍ超、５００ｍｍ未満、４００ｍｍ未満、３００ｍｍ未満、２００ｍｍ未満、１００〜５００ｍｍ、２００〜３００ｍｍおよび／または約２８０ｍｍである、段落Ａ１〜Ａ４６のいずれかに記載の散気装置。
【０１５８】
［Ａ４８．］
出口下流端における出口部の内部の横断方向の幅は、１０ｍｍ超、２０ｍｍ超、３０ｍｍ超、４０ｍｍ超、５０ｍｍ超、７０ｍｍ超、１００ｍｍ超、１５０ｍｍ超、２００ｍｍ未満、１５０ｍｍ未満、１００ｍｍ未満、７０ｍｍ未満、５０ｍｍ未満、４０ｍｍ未満、３０ｍｍ未満、２０ｍｍ未満、１０〜２００ｍｍ、２０〜１００ｍｍ、２０〜７０ｍｍ、約２０ｍｍおよび／または約５０ｍｍである、段落Ａ１〜Ａ４７のいずれかに記載の散気装置。
【０１５９】
［Ａ４９．］
出口下流端における出口部の内部の横方向の幅は、出口中心軸線の長さよりも大きく、随意には、横方向の幅に対する長さの割合は、８０％未満、６０％未満、５０％未満、４０％未満、３０％未満、２５％未満、２０％未満、２０〜８０％、２５〜６０％、約６０％、約５０％および／または約４０％である、段落Ａ１〜Ａ４８のいずれかに記載の散気装置。
【０１６０】
［Ａ５０．］
流量コントローラーの下流にある内部バッフルをさらに備える、段落Ａ１〜Ａ４９のいずれかに記載の散気装置。
【０１６１】
［Ａ５０．１．］
内部バッフルは、ネック上流端から出口下流端への空気の流れを制限するように構成される、段落Ａ５０に記載の散気装置。
【０１６２】
［Ａ５０．２．］
内部バッフルは、ネック上流端において背圧をもたらすように構成される、段落Ａ５０〜Ａ５０．１のいずれかに記載の散気装置。
【０１６３】
［Ａ５０．３．］
内部バッフルは、出口下流端の内部の横方向の幅を横切る空気の流れを分散するように構成される、段落Ａ５０〜Ａ５０．２のいずれかに記載の散気装置。
【０１６４】
［Ａ５０．４．］
内部バッフルは、散気装置内に蛇行した空気流路を作るように構成される、段落Ａ５０〜Ａ５０．３のいずれかに記載の散気装置。
【０１６５】
［Ａ５０．５．］
内部バッフルは、上流の騒音の直接的伝達を防ぐように構成される、段落Ａ５０〜Ａ５０．４のいずれかに記載の散気装置。
【０１６６】
［Ａ５０．６．］
内部バッフルは、空気の流れを変更してネック部の内部、出口部の内部、ネック部消音材料および／または出口消音材料と相互作用するように構成される、段落Ａ５０〜Ａ５０．５のいずれかに記載の散気装置。
【０１６７】
［Ａ５０．７．］
内部バッフルは、ネック下流端に近接し、かつ、出口上流端に近接する、段落Ａ５０〜Ａ５０．６のいずれかに記載の散気装置。
【０１６８】
［Ａ５０．８．］
内部バッフルは、ネック部および／または出口部に動作可能に連結される、段落Ａ５０〜Ａ５０．７のいずれかに記載の散気装置。
【０１６９】
［Ａ５０．９．］
内部バッフルは、ネック部中心軸線に対して略垂直または傾斜しており、随意には、内部バッフルとネック部中心軸線との間の角度は、１０°超、１５°超、２０°超、２５°超、３０°超、３５°超、４０°超、４５°超、５０°超、５５°超、６０°超、６５°超、７０°超、７５°超、８５°超、９０°未満、７５°未満、７０°未満、６５°未満、６０°未満、５５°未満、５０°未満、４５°未満、４０°未満、３５°未満、３０°未満、２５°未満、２０°未満、１５°未満、１０°〜５０°、１５°〜４５°、２０°〜４５°、２５°〜３５°、約９０°、約７５°、約６０°、約４５°、約３０°、および／または約１５°である、段落Ａ５０〜Ａ５０．８のいずれかに記載の散気装置。
【０１７０】
［Ａ５０．１０．］
内部バッフルは、出口中心軸線に対して略垂直または傾斜しており、随意には、内部バッフルと出口中心軸線との間の角度は、１０°超、１５°超、２０°超、２５°超、３０°超、３５°超、４０°超、４５°超、５０°超、５５°超、６０°超、６５°超、７０°超、７５°超、８５°超、９０°未満、７５°未満、７０°未満、６５°未満、６０°未満、５５°未満、５０°未満、４５°未満、４０°未満、３５°未満、３０°未満、２５°未満、２０°未満、１５°未満、１０°〜５０°、１５°〜４５°、２０°〜４５°、２５°〜３５°、約９０°、約７５°、約６０°、約４５°、約３０°、および／または約１５°である、段落Ａ５０〜Ａ５０．９のいずれかに記載の散気装置。
【０１７１】
［Ａ５０．１１．］
内部バッフルは、第１の端部および第２の端部を有するバッフルプレートである、段落Ａ５０〜Ａ５０．１０のいずれかに記載の散気装置。
【０１７２】
［Ａ５０．１１．１．］
バッフルプレートは、略平坦である、段落Ａ５０．１１に記載の散気装置。
【０１７３】
［Ａ５０．１１．２．］
バッフルプレートは、実質的に、ネック部の内部の横方向の幅および／または出口部の内部の横方向の幅に及ぶ、段落Ａ５０．１１〜Ａ５０．１１．１のいずれかに記載の散気装置。
【０１７４】
［Ａ５０．１１．３．］
バッフルプレートは、第１の端部および／または第２の端部付近の空気の流れを制限するように構成される、段落Ａ５０．１１〜Ａ５０．１１．２のいずれかに記載の散気装置。
【０１７５】
［Ａ５０．１１．４．］
ネック部がネック部消音材料を含む場合、ネック部消音材料は、バッフルプレートの第１の端部付近および／またはバッフルプレートの第２の端部付近に材料の間隙を画定する、段落Ａ５０．１１〜Ａ５０．１１．３のいずれかに記載の散気装置。
【０１７６】
［Ａ５０．１１．５．］
出口部が出口消音材料を含む場合、出口消音材料は、バッフルプレートの第１の端部付近および／またはバッフルプレートの第２の端部付近に材料の間隙を画定する、段落Ａ５０．１１〜Ａ５０．１１．４のいずれかに記載の散気装置。
【０１７７】
［Ａ５０．１１．６．］
バッフルプレートは、間隙、随意には単一の間隙を、ネック部の内部および／または出口部の内部に画定する、段落Ａ５０．１１〜Ａ５０．１１．５のいずれかに記載の散気装置。
【０１７８】
［Ａ５０．１１．６．１．］
間隙は、実質的に、ネック部の内部の横方向の幅および／または出口部の内部の横方向の幅にわたる、段落Ａ５０．１１．６に記載の散気装置。
【０１７９】
［Ａ５０．１１．６．２．］
間隙は開放領域を有し、この開放領域は、出口下流端の開放領域の５０％未満、４０％未満、３５％未満、３０％未満、２５％未満、２０％未満、１５％未満、１２％未満、１０％未満、８％未満、５％超、８％超、１０％超、１２％超、１５％超、２０％超、２５％超、３０％超、３５％超、４０％超、５〜５０％、８〜３０％、８〜２０％、１０〜３５％、約８％、約１０％、約１２％、約１５％、約２０％、約２５％、約３０％、および／または約３３％の領域である、段落Ａ５０．１１．６〜Ａ５０．１１．６．１のいずれかに記載の散気装置。
【０１８０】
［Ａ５０．１１．６．３．］
間隙は、ネック部の内面および／または出口部の内面に近接し、随意には、ネック部の内面および／または出口部の内面は、間隙付近で平坦であり、バッフルプレートから離れて湾曲し、および／または、バッフルプレートに向かって湾曲している、段落Ａ５０．１１．６〜Ａ５０．１１．６．２のいずれかに記載の散気装置。
【０１８１】
［Ａ５０．１１．６．４．］
バッフルプレートは、間隙付近の第３の端部と第３の端部に対向する第４の端部とを有し、第３の端部は、第４の端部の上流または下流にある、段落Ａ５０．１１．６〜Ａ５０．１１．６．３のいずれかに記載の散気装置。
【０１８２】
［Ａ５０．１１．６．５．］
バッフルプレートは、空気の流れを円滑に分割するように構成される間隙付近の第３の端部を有する、段落Ａ５０．１１．６〜Ａ５０．１１．６．４のいずれかに記載の散気装置。
【０１８３】
［Ａ５０．１１．６．６．］
バッフルプレートは、楔形状、アール状および／または球状である間隙付近の第３の端部を有する、段落Ａ５０．１１．６〜Ａ５０．１１．６．５のいずれかに記載の散気装置。
【０１８４】
［Ａ５１．］
散気装置は空気を流すように構成され、その空気の量は、７００ｇ／ｍｉｎ超、８００ｇ／ｍｉｎ超、９００ｇ／ｍｉｎ超、１，０００ｇ／ｍｉｎ超、１，１００ｇ／ｍｉｎ超、１，２００ｇ／ｍｉｎ超、１，５００ｇ／ｍｉｎ未満、１，２００ｇ／ｍｉｎ未満、８００〜１，２００ｇ／ｍｉｎ、８００Ｌ／ｍｉｎ超、９００Ｌ／ｍｉｎ超、１，０００Ｌ／ｍｉｎ超、１，１００Ｌ／ｍｉｎ超、１，２００Ｌ／ｍｉｎ超、１，３００Ｌ／ｍｉｎ超、１，５００Ｌ／ｍｉｎ未満、１，３００Ｌ／ｍｉｎ未満、および／または９００〜１，３００Ｌ／ｍｉｎである、段落Ａ１〜Ａ５０．１１．６．６のいずれかに記載の散気装置。
【０１８５】
［Ａ５２．］
散気装置は、以下の騒音レベルを生成するように構成され、この騒音レベルは、空気が入口部を通って出口部へ流れる場合に、２０ｄＢ未満、１０ｄＢ未満、５ｄＢ未満、３ｄＢ未満、２ｄＢ未満、または航空機客室周囲の騒音以上１ｄＢ未満であり、随意には、騒音レベルは、０．１ｋＨｚ、０．２ｋＨｚ、０．５Ｈｚ、１ｋＨｚ、２ｋＨｚ、３ｋＨｚ、４ｋＨｚ、５ｋＨｚ、８ｋＨｚ、１０ｋＨｚ、１２ｋＨｚ、１５ｋＨｚ、２０ｋＨｚ、０．１〜１０ｋＨｚ、０．５〜４ｋＨｚ、１〜４ｋＨｚ、２〜４ｋＨｚ、３〜１０ｋＨｚ、５〜１０ｋＨｚ、５ｋＨｚ超、および／または８ｋＨｚ超の周波数の騒音レベルを含む、段落Ａ１〜Ａ５１のいずれかに記載の散気装置。
【０１８６】
［Ａ５３．］
散気装置は、空気が入口部を通って出口部へ流れる場合に、５５ｄＢ未満、５２ｄＢ未満、５０ｄＢ未満、４８ｄＢ未満、４６ｄＢ未満または４４ｄＢ未満の会話妨害レベルを生成するように構成される、段落Ａ１〜Ａ５２のいずれかに記載の散気装置。
【０１８７】
［Ａ５４．］
段落Ａ１〜Ａ５３のいずれかに記載の航空機客室の散気装置を備え、
航空機の空調システムは、航空機客室の散気装置を介して空気を供給するように構成される、航空機の空調システム。
【０１８８】
［Ａ５５．］
段落Ａ１〜Ａ５３のいずれかに記載の複数の航空機客室の散気装置を備える航空機。
【０１８９】
［Ａ５５．１．］
航空機は、２名の定格乗員毎、３名の定格乗員毎および／または４名の定格乗員毎に１個未満の航空機客室の散気装置を含み、随意には、航空機は、定格乗員あたり０．５個未満、０．４個未満、０．３７個未満、０．３３個未満、０．３０個未満、０．２８個未満、０．２６個未満、０．２４個未満、０．２２個未満、０．２個未満、約０．４個、約０．３７個、約０．３３個、約０．３個、約０．２５個および／または約０．２２個の散気装置を含む、段落Ａ５５の航空機。
【０１９０】
［Ａ５５．２．］
航空機は、航空機客室の圧力を維持するように構成され、この圧力は、６０ｋＰａ超、７０ｋＰａ超、７５ｋＰａ超、８０ｋＰａ超、９０ｋＰａ超、１００ｋＰａ超、１２０ｋＰａ未満、１００ｋＰａ未満、８０ｋＰａ未満、７０〜８０ｋＰａ、７０〜９０ｋＰａ、７０〜１０２ｋＰａ、約９０ｋＰａ、約８０ｋＰａおよび／または約７５ｋＰａである、段落Ａ５５〜Ａ５５．１のいずれかに記載の航空機。
【０１９１】
［Ｂ１．］
段落Ａ１〜Ａ５３のいずれかに記載の航空機客室の散気装置を介して空気を供給するステップを含む、航空機客室に空気を供給する方法。
【０１９２】
［Ｂ２．］
供給するステップは、航空機が飛行中の間に供給するステップを含む段落Ｂ１の方法。
【０１９３】
［Ｂ３．］
供給するステップは、航空機客室の散気装置を介して空気を流すステップを含み、その空気の量は、７００ｇ／ｍｉｎ超、８００ｇ／ｍｉｎ超、９００ｇ／ｍｉｎ超、１，０００ｇ／ｍｉｎ超、１，１００ｇ／ｍｉｎ超、１，２００ｇ／ｍｉｎ超、１，５００ｇ／ｍｉｎ未満、１，２００ｇ／ｍｉｎ未満、８００〜１，２００ｇ／ｍｉｎ、８００Ｌ／ｍｉｎ超、９００Ｌ／ｍｉｎ超、１，０００Ｌ／ｍｉｎ超、１，１００Ｌ／ｍｉｎ超、１，２００Ｌ／ｍｉｎ超、１，３００Ｌ／ｍｉｎ超、１，５００Ｌ／ｍｉｎ未満、１，３００Ｌ／ｍｉｎ未満、および／または９００〜１，３００Ｌ／ｍｉｎである、段落Ｂ１〜Ｂ２のいずれかに記載の方法。
【０１９４】
［Ｂ４．］
供給するステップは、以下の騒音レベルで供給するステップを含み、この騒音レベルは、２０ｄＢ未満、１０ｄＢ未満、５ｄＢ未満、３ｄＢ未満、２ｄＢ未満、または航空機客室周囲の騒音以上１ｄＢ未満であり、随意には、騒音レベルは、０．１ｋＨｚ、０．２ｋＨｚ、０．５ｋＨｚ、１ｋＨｚ、２ｋＨｚ、３ｋＨｚ、４ｋＨｚ、５ｋＨｚ、８ｋＨｚ、１０ｋＨｚ、１２ｋＨｚ、１５ｋＨｚ、２０ｋＨｚ、０．１〜１０ｋＨｚ、０．５〜４ｋＨｚ、１〜４ｋＨｚ、２〜４ｋＨｚ、３〜１０ｋＨｚ、５〜１０ｋＨｚ、５ｋＨｚ超、および／または８ｋＨｚ超の周波数の騒音レベルを含む、段落Ｂ１〜Ｂ３のいずれかに記載の方法。
【０１９５】
［Ｂ５．］
供給するステップは、５５ｄＢ未満、５２ｄＢ未満、５０ｄＢ未満、４８ｄＢ未満、４６ｄＢ未満、または４４ｄＢ未満の会話妨害レベルで供給するステップを含む、段落Ｂ１〜Ｂ４のいずれかに記載の方法。
【０１９６】
［Ｂ６．］
航空機客室は乗員を含み、供給するステップは、２名の乗員毎、３名の乗員毎および／または４名の乗員毎に１個未満の航空機客室の散気装置を使用するステップを含み、随意には、航空機は、定格乗員あたり０．５個未満、０．４個未満、０．３７個未満、０．３３個未満、０．３０個未満、０．２８個未満、０．２６個未満、０．２４個未満、０．２２個未満、０．２個未満、約０．４個、約０．３７個、約０．３３個、約０．３個、約０．２５個および／または約０．２２個の散気装置を含む、段落Ｂ１〜Ｂ５のいずれかに記載の方法。
【０１９７】
［Ｂ７．］
航空機客室の圧力を維持するステップをさらに含み、この圧力は、約６０ｋＰａ超、７０ｋＰａ超、７５ｋＰａ超、８０ｋＰａ超、９０ｋＰａ超、１００ｋＰａ超、１２０ｋＰａ未満、１００ｋＰａ未満、８０ｋＰａ未満、７０〜８０ｋＰａ、７０〜９０ｋＰａ、７０〜１０２ｋＰａ、約９０ｋＰａ、約８０ｋＰａおよび／または約７５ｋＰａである、段落Ｂ１〜Ｂ６のいずれかに記載の方法。
【０１９８】
本明細書で使用されるように、用語「適合した」および「構成された」は、要素、構成要素または他の主題が、所定の機能を実行するように設計および／または意図されていることを意味する。したがって、用語「適合した」および「構成された」の使用は、特定の要素、構成要素または他の主題が、単に所定の機能を実行することが「可能」であることを意味すると解釈されるべきではないが、その要素、構成要素および／または他の主題は、機能を実行するために、特に選択され、作製され、実装され、利用され、プログラムされ、および／または、設計されると解釈されるべきである。また、特定の機能を実行するように適合されているとして記載された要素、構成要素および／または他の列挙された主題が、追加的または代替的にその機能を実行するように構成されているとして説明されてもよいことは、本開示の範囲内であり、その逆も同様である。同様に、特定の機能を実行するように構成されているとして記載された主題は、追加的または代替的に、その機能を実行するように動作可能であるとして説明することができる。さらに、本明細書で使用されるように、単数形「ａ」、「ａｎ」および「ｔｈｅ」は、文脈が明らかに他を示さない限り、同様に複数形も含むように意図することができる。
【０１９９】
本明細書に開示の装置および方法のステップの様々な開示要素は、本開示に係る全ての装置および方法に必須ではなく、本開示は、本明細書に開示の様々な要素およびステップの、全ての新規かつ非自明な組み合わせおよびサブコンビネーションを含む。また、本明細書に開示の１つ以上の様々な要素およびステップは、開示された装置または方法の全体とは別個に離れた、独立した本発明の主題を定義してもよい。したがって、このような発明の主題は、本明細書に明確に開示された特定の装置および方法と関連している必要はなく、このような発明の主題は、本明細書に明確に開示されていない装置および／または方法において有用性を見出すことができる。
【０２００】
任意の特許または任意の特許出願が、参照により本明細書に組み込まれ、（１）ある意味では用語を定義し、および／または（２）そうでなければ本開示に組み込まれていない部分、または随意の他の組み込まれた参照のいずれかと矛盾する場合、本開示に組み込まれていない部分は統制しなくてはならず、かつ、用語が定義された、および／または、組み込まれた開示が元来存在していた参照に関してのみ、参照に記載の用語または組み込まれた開示は、統制を行わなくてはならない。
【符号の説明】
【０２０１】
１０  航空機
１１  矢印、空気の流れ
１２  空調システム
１４  散気装置
１５  客室通気孔
１６  航空機客室
１７  散気装置の上流端
１８  散気装置の下流端
１９，  ７９  空気流路の長さ
２０  入口部
２１  入口上流端
２２  入口下流端
２５  分岐管
２８  入口中心軸線
３０  ネック部
３１  ネック上流端
３２  ネック下流端
３４  ネック部内部
３５  第１のネック領域
３６  第２のネック領域
３７  ネック部遷移領域
３８  ネック部中心軸線
３９  ネック部消音材料
４０  出口部
４１  出口上流端
４２  出口下流端
４８  出口中心軸線
４９  出口消音材料
５０  流量コントローラー
５１  流量コントローラーの上流端
５２  流量コントローラーの下流端
５４  羽根
５６  流路
６０  バッフル
６４  バッフルプレート
６５  間隙
６６  第１の端部
６７  第２の端部
６８  第３の端部
６９  第４の端部
７０  受動圧コントローラー
７２  渦誘起手段
７４  中央ハブ
７６  角度付き流路
７８  中心軸線
８０  特性寸法
８１，  ８３，  ８５  横方向の幅
８２，  ８４，  ８６  横断方向の幅
８７，  ８９  側面
８８，  ９０  横断面
９２  角度
１００  座標フレーム
【図１】
0006667998.tif 000002
【図２】
0006667998.tif 000003
【図３】
0006667998.tif 000004
【図４】
0006667998.tif 000005
【図５】
0006667998.tif 000006
【図６】
0006667998.tif 000007
【図７】
0006667998.tif 000008